(57)【要約】      （修正有）【課題】プレビュー表示可能な画像出力装置の能率低下を抑制する。【解決手段】複合機は、画像を印刷（出力）するジョブを実行し且つ前記印刷の前に前記画像のプレビューを表示部に表示させる画像出力装置である。複合機に備えられている制御装置は、表示されているプレビューに対応するジョブを複合機に実行させる第１制御処理、および、表示されているプレビューに対応するジョブを保留状態にする第２制御処理のうちいずれかを選択する（Ｓ５２）。そして、前記プレビューが表示されている間に利用者による操作の無い状態が所定時間続いた場合、制御装置は、Ｓ５２にて選択した制御処理を実行する（Ｓ５６）。【選択図】図７
2010199858.tif 000002
【特許請求の範囲】
【請求項１】
画像を出力するジョブと前記ジョブの実行前に前記画像のプレビューを表示部に表示する処理とを実行する画像出力装置を制御し、
前記ジョブを保留状態にすると共に当該保留状態を解除することが可能であって、保留状態のジョブよりも保留状態ではないジョブを優先して前記画像出力装置に実行させる制御装置において、
前記表示部に表示されているプレビューに対応するジョブを前記画像出力装置に実行させる第１制御処理、および、前記表示部に表示されているプレビューに対応するジョブを前記保留状態にする第２制御処理のうちのいずれかを選択し、前記プレビューが表示されている間に前記画像出力装置に対する操作の無い状態が所定時間続いた場合、前記選択した制御処理を実行するジョブ制御部を有することを特徴とする制御装置。
【請求項２】
前記ジョブ制御部は、ジョブの内容を示した内容情報と当該内容に適した制御処理を示した情報であり第１あるいは第２制御処理のいずれかを示した情報である処理情報との対応関係を予め記憶した記憶部を参照して、前記プレビューに対応するジョブの内容に適した制御処理を選択することを特徴とする請求項１に記載の制御装置。
【請求項３】
前記ジョブ制御部は、保留状態にされている全てのジョブのデータ量の累計である総データ量が所定量以上であれば第１制御処理を選択し、前記総データ量が所定量未満であれば第２制御処理を選択することを特徴とする請求項１に記載の制御装置。
【請求項４】
前記ジョブ制御部は、保留状態にされているジョブの数である保留ジョブ数が所定数以上であれば第１制御処理を選択し、前記保留ジョブ数が所定数未満であれば第２制御処理を選択することを特徴とする請求項１に記載の制御装置。
【請求項５】
前記第１制御処理が選択される場合は表示部に表示されているプレビューに対応するジョブが実行されることを利用者に予告し、前記第２制御処理が選択される場合は表示部に表示されているプレビューに対応するジョブを前記保留状態にすることを利用者に予告する予告部を有し、
前記予告部は、前記プレビューが表示されている間に前記画像出力装置に対する操作の無い状態が前記所定時間よりも短い閾値時間続いた場合に前記予告を行うことを特徴とする請求項１から４のいずれか１項に記載の制御装置。
【請求項６】
画像を出力するジョブと前記ジョブの実行前に前記画像のプレビューを表示部に表示する処理とを実行する画像出力装置を制御する制御装置において、
前記プレビューが表示されている間に前記画像出力装置に対する操作の無い状態が所定時間続いた場合、表示されているプレビューに対応するジョブを前記画像出力装置に実行させるジョブ制御部を有することを特徴とする制御装置。
【請求項７】
表示部に表示されているプレビューに対応するジョブの実行を利用者に予告する予告部を有し、
前記予告部は、前記プレビューが表示されている間に前記画像出力装置に対する操作の無い状態が前記所定時間よりも短い閾値時間続いた場合に前記予告を行うことを特徴とする請求項６に記載の制御装置。
【請求項８】
画像を出力するジョブと前記ジョブの実行前に前記画像のプレビューを表示部に表示する処理とを実行する画像出力装置を制御し、
前記ジョブを保留状態にすると共に当該保留状態を解除することが可能であって、保留状態のジョブよりも保留状態ではないジョブを優先して前記画像出力装置に実行させる制御装置において、
前記プレビューが表示されている間に前記画像出力装置に対する操作の無い状態が所定時間続いた場合、前記表示部に表示されているプレビューに対応するジョブを前記保留状態にするジョブ制御部を有することを特徴とする制御装置。
【請求項９】
表示部に表示されているプレビューに対応するジョブを前記保留状態にすることを利用者に予告する予告部を有し、
前記予告部は、前記プレビューが表示されている間に前記画像出力装置に対する操作の無い状態が前記所定時間よりも短い閾値時間続いた場合に前記予告を行うことを特徴とする請求項８に記載の制御装置。
【請求項１０】
前記ジョブは、前記画像の印刷処理、前記画像の送信処理、前記画像を所定のファイル形式の画像ファイルに変換する変換処理のうちのいずれかであることを特徴とする請求項１から９のいずれか１項に記載の制御装置。
【請求項１１】
請求項１から１０のいずれか１項に記載の制御装置に制御される画像出力装置であり、前記制御装置を備えることを特徴とする画像出力装置。
【請求項１２】
画像を出力するジョブと前記ジョブの実行前に前記画像のプレビューを表示部に表示する処理とを実行する画像出力装置を制御し、
前記ジョブを保留状態にする処理と当該保留状態を解除する処理とを行い、保留状態のジョブよりも保留状態ではないジョブを優先して前記画像出力装置に実行させる画像出力装置の制御方法において、
前記画像出力装置を制御する制御装置が、前記表示部に表示されているプレビューに対応するジョブを前記画像出力装置に実行させる第１制御処理、および、前記表示部に表示されているプレビューに対応するジョブを前記保留状態にする第２制御処理のうちのいずれかを選択し、前記プレビューが表示されている間に前記画像出力装置に対する操作の無い状態が所定時間続いた場合、前記選択した制御処理を実行することを特徴とする画像出力装置の制御方法。
【請求項１３】
画像を出力するジョブと前記ジョブの実行前に前記画像のプレビューを表示部に表示する処理とを実行する画像出力装置を制御する画像出力装置の制御方法において、
前記プレビューが表示されている間に前記画像出力装置に対する操作の無い状態が所定時間続いた場合、前記画像出力装置を制御する制御装置が、表示されているプレビューに対応するジョブを前記画像出力装置に実行させることを特徴とする画像出力装置の制御方法。
【請求項１４】
画像を出力するジョブと前記ジョブの実行前に前記画像のプレビューを表示部に表示する処理とを実行する画像出力装置を制御し、
前記ジョブを保留状態にする処理と当該保留状態を解除する処理とを行い、保留状態のジョブよりも保留状態ではないジョブを優先して前記画像出力装置に実行させる画像出力装置の制御方法において、
前記プレビューが表示されている間に前記画像出力装置に対する操作の無い状態が所定時間続いた場合、前記画像出力装置を制御する制御装置が、前記表示部に表示されているプレビューに対応するジョブを前記保留状態にすることを特徴とする画像出力装置の制御方法。
【請求項１５】
コンピュータを、請求項１から１０のいずれか１項に記載の制御装置のジョブ制御部として機能させるプログラム。
【請求項１６】
請求項１５に記載のプログラムを記録したコンピュータ読み取り可能な記録媒体。
【発明の詳細な説明】
【技術分野】
【０００１】
本発明は、出力処理の対象となる画像のプレビュー（サムネイル）を表示可能な画像出力装置、当該画像出力装置を制御する制御装置に関するものである。
【背景技術】
【０００２】
複写機や複合機などの画像出力装置は、原稿種別や設定条件（印刷濃度，変倍処理の倍率，片面印刷または両面印刷，余白サイズ等）に応じて、印刷対象の画像に画像処理を施す。さらに、画像出力装置には、前記画像処理の後、印刷処理の前に、印刷対象の画像のプレビューを表示装置に表示するものも存在する。なお、プレビュー表示の形態には、印刷対象の画像を１頁ずつ表示する形態や、複数頁からなる印刷対象の画像を一括して表示する形態がある。
【０００３】
また、下記の特許文献１には、ユーザによる操作のない状態が所定時間経過した場合に無操作時処理を実行する機能と、プレビュー表示の指示入力がされてからプレビュー表示されるまでの間は無操作時処理の実行を禁止する機能とを有する画像形成装置が開示されている。ここで、特許文献１の無操作時処理とは、プレビュー表示する内容を初期化する処理、画像形成装置の動作モードを予熱モードへ移行する処理、画像形成装置の電源を切断する処理である。そして、特許文献１の画像形成装置は、プレビュー表示を行う際に上記無操作時処理が実行されてしまう不都合を抑制する事を目的としている。なお、特許文献１の構成によれば、プレビュー表示前において利用者が操作を行わない状況が所定時間続いた場合、プレビュー表示する内容を初期化するようになっているが、この場合、利用者は、再度、原稿の読み取りを行う必要があり、使い勝手が悪いという問題が生じる。
【先行技術文献】
【特許文献】
【０００４】
【特許文献１】特開２００６−３３３１８６号公報（２００６年１２月７日公開）
【発明の概要】
【発明が解決しようとする課題】
【０００５】
また、出力処理（印刷処理，送信処理）の対象となる画像のプレビューを表示可能な画像出力装置では、利用者が表示コマンドを入力することによってプレビューが表示され、出力コマンドを利用者が入力すると画像の出力処理が行われるようになっている。したがって、出力処理の対象となる画像についてプレビュー表示が行われている間にユーザの操作のない状態が続くと、いつまで経っても当該出力処理が終了しない。
【０００６】
そして、プレビュー表示が続きつつ当該プレビューに対応する出力処理がいつまでも実行されないと、この出力処理に関するジョブを入力した利用者とは別の利用者が画像出力装置を利用（操作）できず、画像出力装置の能率（稼働率）が低下するという問題が生じる。なお、プレビュー表示が行われている間にユーザの操作のない状態が続くような状況としては、ユーザが操作に不慣れであって処理内容の選択に戸惑っているケースや、オフィス環境において画像出力装置を操作している利用者が他人に呼び出されて当該画像出力装置から一時的に離れてしまうようなケースが想定される。
【０００７】
本発明の目的は、出力処理の対象となる画像のプレビューを表示可能な機能を有する画像出力装置の能率の低下を抑制する事である。
【課題を解決するための手段】
【０００８】
前記の課題を解決するために、本発明は、画像を出力するジョブと前記ジョブの実行前に前記画像のプレビューを表示部に表示する処理とを実行する画像出力装置を制御し、前記ジョブを保留状態にすると共に当該保留状態を解除することが可能であって、保留状態のジョブよりも保留状態ではないジョブを優先して前記画像出力装置に実行させる制御装置において、前記表示部に表示されているプレビューに対応するジョブを前記画像出力装置に実行させる第１制御処理、および、前記表示部に表示されているプレビューに対応するジョブを前記保留状態にする第２制御処理のうちのいずれかを選択し、前記プレビューが表示されている間に前記画像出力装置に対する操作の無い状態が所定時間続いた場合、前記選択した制御処理を実行するジョブ制御部を有することを特徴とする。本発明の構成によれば、プレビューを表示させたまま利用者が操作を行わない状況が続いても、所定時間が経過すると、表示されているプレビューに対応する画像を出力するジョブが強制的に実行されるか保留状態にされてしまうため、当該ジョブを入力した利用者とは別の利用者が画像出力装置を利用することが可能になる。それゆえ、画像出力装置の能率の低下を抑制できるという効果を奏する。
【０００９】
また、本発明の制御装置において、前記ジョブ制御部は、ジョブの内容を示した内容情報と当該内容に適した制御処理を示した情報であり第１あるいは第２制御処理のいずれかを示した情報である処理情報との対応関係を予め記憶した記憶部を参照して、前記プレビューに対応するジョブの内容に適した制御処理を選択することが好ましい。これにより、第１制御処理および第２制御処理のうち、前記プレビューに対応するジョブの内容に適した制御処理が実行されるという効果を奏する。例えば、ジョブの内容がカラー印刷である場合、コスト高であるため実行前に利用者に確認することが好ましく、第２制御処理が適している。これに対し、ジョブの内容が枚数少のモノクロ印刷である場合、コスト高の問題がない点と、保留ジョブの蓄積をできるだけ抑制するという点とから、第１制御処理が適している。
【００１０】
また、本発明の制御装置において、前記ジョブ制御部は、保留状態にされている全てのジョブのデータ量の累計である総データ量が所定量以上であれば第１制御処理を選択し、前記総データ量が所定量未満であれば第２制御処理を選択するようになっていてもよい。この構成によれば、保留されているジョブが過剰になることによってコンピュータのリソースが無駄に消費されてしまうことを抑制できる。
【００１１】
さらに、本発明の制御装置において、前記ジョブ制御部は、保留状態にされているジョブの数である保留ジョブ数が所定数以上であれば第１制御処理を選択し、前記保留ジョブ数が所定数未満であれば第２制御処理を選択するようになっていてもよい。この構成によれば、保留されているジョブの数が過剰になることを抑制でき、利用者が所望の保留ジョブを検索する時の手間を抑制できるという効果を奏する。つまり、利用者が所望の保留ジョブを検索する際、保留ジョブの一覧リストを表示させて所望の保留ジョブを目視で検索するようなケースも想定されるが、保留されているジョブの数が過剰であれば、検索に手間がかかるため、保留されているジョブの数が過剰になることは好ましくない。
【００１２】
また、本発明の制御装置は、前記構成に加えて、前記第１制御処理が選択される場合は表示部に表示されているプレビューに対応するジョブが実行されることを利用者に予告し、前記第２制御処理が選択される場合は表示部に表示されているプレビューに対応するジョブを前記保留状態にすることを利用者に予告する予告部を有し、前記予告部は、前記プレビューが表示されている間に前記画像出力装置に対する操作の無い状態が前記所定時間よりも短い閾値時間続いた場合に前記予告を行うことが好ましい。それゆえ、利用者にとって不意にジョブが実行されることを抑制でき、また、利用者にとって不意にジョブが保留状態にされてしまうことを抑制できるという効果を奏する。
【００１３】
前記の課題を解決するために、本発明は、画像を出力するジョブと前記ジョブの実行前に前記画像のプレビューを表示部に表示する処理とを実行する画像出力装置を制御する制御装置において、前記プレビューが表示されている間に前記画像出力装置に対する操作の無い状態が所定時間続いた場合、表示されているプレビューに対応するジョブを前記画像出力装置に実行させるジョブ制御部を有することを特徴とする。本発明の構成によれば、プレビューを表示させたまま画像出力装置に対して利用者が操作を行わないという状況が続いても、所定時間が経過すると、表示されているプレビューに対応するジョブは強制的に終了されてしまうため、当該ジョブを入力した利用者とは別の利用者が画像出力装置を利用することが可能になる。それゆえ、画像出力装置の能率の低下を抑制できるという効果を奏する。
【００１４】
また、本発明の制御装置は、前記構成に加えて、表示部に表示されているプレビューに対応するジョブの実行を利用者に予告する予告部を有し、前記予告部が、前記プレビューが表示されている間に前記画像出力装置に対する操作の無い状態が前記所定時間よりも短い閾値時間続いた場合に前記予告を行うことが好ましい。それゆえ、ジョブの強制実行を利用者に予告しているため、利用者にとって不意にジョブが強制実行されてしまうことを抑制できるという効果を奏する。そして、ジョブの実行を望まない利用者やプレビューの確認の継続を望む利用者からすれば、必要なコマンド入力を行うことでジョブが勝手に実行されてしまわないようにできる。
【００１５】
さらに、前記の課題を解決するために、本発明は、画像を出力するジョブと前記ジョブの実行前に前記画像のプレビューを表示部に表示する処理とを実行する画像出力装置を制御し、前記ジョブを保留状態にすると共に当該保留状態を解除することが可能であって、保留状態のジョブよりも保留状態ではないジョブを優先して前記画像出力装置に実行させる制御装置において、前記プレビューが表示されている間に前記画像出力装置に対する操作の無い状態が所定時間続いた場合、前記表示部に表示されているプレビューに対応するジョブを前記保留状態にするジョブ制御部を有することを特徴とする。本発明の構成によれば、プレビューを表示させたまま画像出力装置に対して利用者が操作を行わないという状況が続いても、所定時間が経過すると、表示されているプレビューに対応するジョブは強制的に保留状態にされてしまうため、当該ジョブを入力した利用者とは別の利用者が画像出力装置を利用することが可能になる。それゆえ、画像出力装置の能率の低下を抑制できるという効果を奏する。
【００１６】
また、本発明の制御装置は、前記構成に加えて、表示部に表示されているプレビューに対応するジョブを前記保留状態にすることを利用者に予告する予告部を有し、前記予告部が、前記プレビューが表示されている間に前記画像出力装置に対する操作の無い状態が前記所定時間よりも短い閾値時間続いた場合に前記予告を行うことが好ましい。それゆえ、ジョブが強制的に保留されてしまうことを利用者に予告しているため、利用者にとって不意にジョブが保留状態にされてしまうことを抑制できるという効果を奏する。そして、ジョブの保留を望まずに出力を望む利用者からすれば、出力コマンドを入力することで、ジョブが勝手に保留にされてしまう事を抑制できる。
【００１７】
また、本発明の制御装置において、前記ジョブは、前記画像の印刷処理、前記画像の送信処理、前記画像を所定のファイル形式の画像ファイルに変換する変換処理のうちのいずれかであることが好ましい。
【００１８】
また、前記制御装置に制御される画像出力装置であって、前記制御装置を備えた画像出力装置も本発明の範疇にはいる。
【００１９】
さらに、本発明は、画像を出力するジョブと前記ジョブの実行前に前記画像のプレビューを表示部に表示する処理とを実行する画像出力装置を制御し、前記ジョブを保留状態にする処理と当該保留状態を解除する処理とを行い、保留状態のジョブよりも保留状態ではないジョブを優先して前記画像出力装置に実行させる画像出力装置の制御方法において、前記画像出力装置を制御する制御装置が、前記表示部に表示されているプレビューに対応するジョブを前記画像出力装置に実行させる第１制御処理、および、前記表示部に表示されているプレビューに対応するジョブを前記保留状態にする第２制御処理のうちのいずれかを選択し、前記プレビューが表示されている間に前記画像出力装置に対する操作の無い状態が所定時間続いた場合、前記選択した制御処理を実行することを特徴とする。
【００２０】
また、本発明は、画像を出力するジョブと前記ジョブの実行前に前記画像のプレビューを表示部に表示する処理とを実行する画像出力装置を制御する画像出力装置の制御方法において、前記プレビューが表示されている間に前記画像出力装置に対する操作の無い状態が所定時間続いた場合、前記画像出力装置を制御する制御装置が、表示されているプレビューに対応するジョブを前記画像出力装置に実行させることを特徴とする。
【００２１】
さらに、本発明は、画像を出力するジョブと前記ジョブの実行前に前記画像のプレビューを表示部に表示する処理とを実行する画像出力装置を制御し、前記ジョブを保留状態にする処理と当該保留状態を解除する処理とを行い、保留状態のジョブよりも保留状態ではないジョブを優先して前記画像出力装置に実行させる画像出力装置の制御方法において、前記プレビューが表示されている間に前記画像出力装置に対する操作の無い状態が所定時間続いた場合、前記画像出力装置を制御する制御装置が、前記表示部に表示されているプレビューに対応するジョブを前記保留状態にすることを特徴とする。
【００２２】
さらに、前記制御装置は、コンピュータによって実現されてもよく、この場合には、コンピュータを前記ジョブ制御部として機能させるプログラム、および、このプログラムを記録したコンピュータ読み取り可能な記録媒体も、本発明の範疇に入る。
【発明の効果】
【００２３】
本発明の構成によれば、プレビューを表示させたまま利用者が操作を行わない状況が続いても、所定時間が経過すると、表示されているプレビューに対応する画像を出力するジョブが強制的に実行されるか保留状態にされてしまうため、当該ジョブを入力した利用者とは別の利用者が画像出力装置を利用することが可能になる。それゆえ、画像出力装置の能率の低下を抑制できるという効果を奏する。
【図面の簡単な説明】
【００２４】
【図１】本発明の画像出力装置の実施形態である複合機の概略構成を示したブロック図である。
【図２】（ａ）は、強制印刷を予告する予告メッセージを示した画像である。（ｂ）は、ジョブが強制的に保留状態にされる事を予告するメッセージを示した画像である。
【図３】本発明の第１の実施形態に係る処理の流れを示したフローチャートである。
【図４】ジョブリストの一例を示した図である。
【図５】本発明の第２の実施形態に係る処理の流れを示したフローチャートである。
【図６】本発明の第３の実施形態にて利用される条件・処理テーブルの一例を示した図である。
【図７】本発明の第３の実施形態に係る処理の流れを示したフローチャートである。
【図８】参考例の画像形成装置を示したブロック図であり、コピーモード且つフルカラーモードにて印刷処理を行う際の画像データの流れを示したブロック図である。
【図９】（ａ）は、参考例において、コピーモード且つシングルカラーモードにて印刷処理が行われる際の画像処理装置内の一部を示したブロック図である。（ｂ）は、参考例において、コピーモード且つ２色カラーモードにて印刷処理が行われる際の画像処理装置内の一部を示したブロック図である。
【図１０】参考例の画像形成装置を示したブロック図であり、コピーモード且つフルカラーモードにてプレビュー表示処理を行う際の画像データの流れを示したブロック図である。
【図１１】（ａ）は、参考例において、コピーモード且つシングルカラーモードにてプレビュー表示が行われる際の画像処理装置内の一部を示したブロック図である。（ｂ）は、参考例において、コピーモード且つ２色カラーモードにてプレビュー表示が行われる際の画像処理装置内の一部を示したブロック図である。
【図１２】（ａ）は、画像表示装置の表示特性に応じたガンマ曲線の一例を示した図である。（ｂ）は、文字をくっきりと表示させるためのガンマ曲線を実線で示し、画像表示装置の表示特性に応じたガンマ曲線を破線で示した図である。
【図１３】コピーモード且つフルカラーモードが選択されている場合の参考例の画像形成装置の処理手順を示したフローチャートである。
【図１４】参考例の画像形成装置を示したブロック図であり、ファクシミリ送信モードにて送信処理を行う際の画像データの流れを示した図である。
【図１５】参考例の画像形成装置を示したブロック図であり、ファクシミリ送信モードにてプレビュー表示処理を行う際の画像データの流れを示した図である。
【図１６】参考例の画像形成装置を示したブロック図であり、ファクシミリ受信モードにて印刷処理を行う際の画像データの流れを示した図である。
【図１７】参考例の画像形成装置を示したブロック図であり、ファクシミリ受信モードにてプレビュー表示処理を行う際の画像データの流れを示した図である。
【図１８】参考例の画像形成装置を示したブロック図であり、図８の構成とは異なる構成の画像形成装置を示したブロック図である。
【発明を実施するための形態】
【００２５】
〔実施の形態１〕
本発明の一実施形態を図に基づいて説明する。図１は、本実施形態の複合機の概略構成を示したブロック図である。
【００２６】
複合機５０は、画像データの画像を出力するジョブを実行する画像出力装置である。ここで、複合機５０にて実行されるジョブとは、印刷処理、送信処理、ファイリング処理等の出力処理を意味する。
【００２７】
また、前記の印刷処理とは、複写モードにおける印刷処理、プリントモードにおける印刷処理、ファクシミリ受信モードにおける印刷処理を意味する。ここで、複写モードとは、複合機５０にて読み取られた画像データの画像を複合機５０にて印刷するモードであり、プリントモードとは、端末装置（不図示）から複合機５０に送られてきた画像データの画像を複合機５０にて印刷するモードであり、ファクシミリ受信モードとは、ファクシミリによって複合機５０に送られてきた画像データの画像を複合機５０にて印刷するモードを意味するものである。
【００２８】
さらに、前記の送信処理とは、ファクシミリ送信モードにおける送信処理、イメージ送信モードにおける送信処理を意味する。ここで、ファクシミリ送信モードとは、複合機５０にて読み取られた画像データの画像をファクシミリによって外部装置へ送信するモードである。イメージ送信モードとは、複合機５０にて読み取られた画像データの画像を利用者に指定された送信先へ送信するモードである。なお、イメージ送信モードの送信先には、複合機５０に接続されているネットワーク上のアドレス、フォルダ、複合機５０に装着されているＵＳＢメモリ等がある。
【００２９】
また、ファイリング処理とは、複写モードやファクシミリ送信モード等において、これらモードの印刷または送信の対象となる画像から所定のファイル形式の画像ファイルを生成し、生成した画像ファイルを保存する処理を意味する。
【００３０】
複合機５０は、図１に示すように、画像入力装置５１、画像処理装置５２、プリント部５３、記憶装置５４、送信装置５５、受信装置５６、操作パネル５７、リードライト部５８、制御装置５９を有する。
【００３１】
画像入力装置５１は、原稿を読み取って画像データを生成する画像読取手段である。より具体的に説明すると、画像入力装置５１は、ＣＣＤ（Charge Coupled Device）を含むスキャナ部を有し、原稿から反射してきた光に基づき、当該原稿の画像を示した画像データを生成するものである。
【００３２】
画像処理装置５２は、外部から送られてきた画像データや画像入力装置５１にて生成された画像データに対して画像処理を施す集積回路であり、ＡＳＩＣ（Application specific integrated circuit）から構成されるものである。
【００３３】
プリント部５３は、画像処理装置５２にて画像処理の施された後の画像データの画像を記録媒体（例えば紙等）上に印刷（出力）する装置であり、例えば、電子写真方式またはインクジェット方式を用いたカラープリンタを挙げることができる。
【００３４】
記憶装置５４は、複合機５０にて扱われる画像データや複合機５０にて実行されるジョブのデータを一旦記憶するためのハードディスク装置である。
【００３５】
送信装置５５は、電話回線またはインターネットに接続しており、画像入力装置５１にて入力され且つ画像処理装置５２にて処理された画像データの画像をファクシミリ通信によって外部装置へ送信する装置（例えばモデム）である。受信装置５６は、電話回線またはインターネットに接続しており、ファクシミリ通信によって外部装置から画像データを受信する装置（例えばモデム）である。
【００３６】
操作パネル５７は、利用者が複合機５０を操作するために、利用者が各種コマンドを入力したり各種設定を行うためのユーザインターフェイスである。操作パネル５７には、入力および設定のためのボタン群と表示部５７ａとが備えられている。
【００３７】
表示部５７ａは、カラー画像の表示が可能な液晶ディスプレイであり、複合機５０に関する各種情報を表示するものである。また、表示部５７ａは、タッチパネルに覆われており、複合機５０の入力インターフェイスとしての機能も有している。つまり、表示部５７ａには、複合機５０に対して各種コマンドの入力等の操作を行うためのＧＵＩ（グラフィカルユーザインターフェイス）や操作ガイドが表示される。
【００３８】
リードライト部５８は、ユーザＩＤ（利用者ＩＤ）の登録時に利用者の所持する非接触ＩＣカード（以下、単に「ＩＣカード」と称す）へユーザＩＤを書き込む処理と、利用者認証を行う際に利用者の所持するＩＣカードからユーザＩＤを読み出す処理とを実行するリーダーライターである。なお、ＩＣカードの一例としてFelica（登録商標）がある。但し、本実施形態では、リードライト部５８は特に備えられていなくても構わない。
【００３９】
制御装置５９は、ＣＰＵ（Central Processing Unit）あるいはＤＳＰ（Digital Signal Processor）等のプロセッサを含むコンピュータから構成されるものであり、複合機５０に備えられる各ハードウェアを制御すると共に各ハードウェア間のデータ転送を制御することによって、複合機５０の動作制御を行うものである。
【００４０】
具体的に、制御装置５９は、利用者から入力されるコマンドに応じて、上述した複写モード、プリントモード、ファクシミリ送信モード、ファクシミリ受信モード、イメージ送信モードにおける処理を複合機５０に実行させるようになっている。
【００４１】
つまり、制御装置５９は、複写モードにおいて、画像入力装置５１に画像データを読み取らせて当該画像データを記憶装置５４に一旦記憶させ、この画像データの画像をプリント部５３に印刷させる。また、制御装置５９は、プリントモードにおいて、端末装置から受信した画像データを記憶装置５４に一旦記憶させ、この画像データの画像をプリント部５３に印刷させる。さらに、制御装置５９は、ファクシミリ送信モード時において、画像入力装置５１に画像データを読み取らせて当該画像データを記憶装置５４に一旦記憶させ、この画像データの画像を送信装置５５に送信させる。また、制御装置５９は、ファクシミリ受信処理モードにおいて、受信装置５６が受信した画像データを記憶装置５４に一旦記憶させ、その後に当該画像データの画像をプリント部５３に印刷させる。
【００４２】
また、図１に示すように、制御装置５９は、イメージ送信部５９ａ、ファイリング処理部５９ｂ、ジョブ制御部５９ｃ、予告部５９ｄ、認証部５９ｅを有する。
【００４３】
イメージ送信部５９ａは、イメージ送信モードにおいて、画像入力装置５１に画像データを読み取らせて当該画像データを記憶装置５４に一旦記憶させ、この画像データの画像を指定された送信先へ送信する処理を行うブロックである。なお、イメージ送信部５９ａは、ネットワーク上のアドレスに画像を送信する場合、送信対象の画像を電子メールに添付し、この電子メールを前記アドレスへ送信するようになっている。
【００４４】
ファイリング処理部５９ｂは、利用者からのコマンドに応じて、以上示した各モードの選択中において、印刷または送信の対象とされている画像から所定のファイル形式の画像ファイル（JPEGファイル,TIFFファイル等）を生成し、生成した画像ファイルを記憶装置５４に保存する処理を行うブロックである。
【００４５】
ジョブ制御部５９ｃは、複写モード、ファクシミリ送信モード、ファクシミリ受信モード、イメージ送信モードにおける印刷・送信・ファイリング等の出力処理の実行前において、プレビューコマンドが入力されている場合、または、プレビュー有の設定がされている場合、各モードにおいて出力処理の対象となる画像のプレビューを表示部５７ａに表示させる。
【００４６】
このプレビューについて以下詳細に説明する。複写モード、ファクシミリ送信モード、イメージ送信モードにおいてプレビューを表示させる場合、利用者は、プレビュー有を設定した上でスタートコマンドを入力するようになっている。これにより、画像入力装置５１が画像データを読み取り、当該画像データが記憶装置５４にて記憶されると共に、記憶装置５４にて記憶されている画像データの画像のプレビューが表示部５７ａに表示されるようになっている。そして、プレビューの表示中に利用者が出力コマンドを入力すると、記憶装置５４にて記憶されている画像データの画像の印刷または送信が行われるようになっている。
【００４７】
ファクシミリ受信モードにおいてプレビューを表示させる場合、受信画像データが記憶装置５４に記憶されている事を確認した利用者がプレビューコマンドを入力すると、記憶装置５４にて記憶されている受信画像データの画像のプレビューが表示部５７ａに表示されるようになっている。そして、プレビューの表示中に利用者が出力コマンドを入力すると、記憶装置５４にて記憶されている受信画像データの画像の印刷が行われるようになっている。
【００４８】
また、複写モードやファクシミリ送信モード等において、利用者から予めファイリングの実行が指定されている場合は、プレビューの表示中に利用者が出力コマンドを入力すると、前記印刷または送信と共にファイリング処理も行われるようになっている。
【００４９】
なお、以上の各モードにおいて、画像データは画像処理装置５２にて画像処理が施された上で表示部５７ａに送られるようになっている。また、画像データは、画像処理装置５２にて画像処理が施された上で、出力処理の行われるプリント部５３、送信装置５５、イメージ送信部５９ａ等に送られるようになっている。
【００５０】
また、表示部５７ａにプレビューが表示されている間に、複合機５０に対する利用者の操作のない状態が所定時間続いた場合、ジョブ制御部５９ｃは、表示されているプレビューに対応する画像の出力処理（印刷、送信、ファイリング）が実行されるように複合機５０を制御するようになっている。なお、複合機５０に対する利用者の操作のない状態とは、利用者が操作パネル５７を操作しない状態である。
【００５１】
つまり、複写モード、ファクシミリ受信モードにおいて、プレビューが表示されている間、利用者が複合機５０に対して所定時間何らの操作も行わない場合、ジョブ制御部５９ｃは、利用者からのコマンドがなくとも、これらモードにおいて処理対象とされる画像データの画像の印刷をプリント部５３に行わせる。また、ファクシミリ送信モードにおいて、プレビューが表示されている間、利用者が複合機５０に対して所定時間何らの操作も行わない場合、ジョブ制御部５９ｃは、処理対象とされる画像データの画像の送信を送信装置５５に行わせる。さらに、イメージ送信モードにおいて、プレビューが表示されている間、利用者が複合機５０に対して所定時間何らの操作も行わない場合、ジョブ制御部５９ｃは、利用者からのコマンドがなくとも、処理対象とされる画像データの画像の送信をイメージ送信部５９ａに行わせる。
【００５２】
なお、複写モードやファクシミリ送信モード等において、利用者から予めファイリング処理の実行が指定されている場合、利用者が複合機５０に対して所定時間何らの操作が行われないと、印刷または送信と共にファイリングも実行されるようになっている。
【００５３】
また、以下では、プレビューの表示中に利用者による操作が所定時間無い場合に行われる印刷または送信を自動出力（強制出力）と称する。
【００５４】
予告部５９ｄは、自動出力される前に、自動出力される事を予告するメッセージを表示部５７ａに表示する。図２（ａ）は、予告部５９ｄによって表示部５７ａに表示される画像であり、複写モードにおいて自動出力（印刷）される事を予告するメッセージを示した画像である。
【００５５】
図２（ａ）では、参照符８０ａのメッセージが自動出力を予告するメッセージに該当する。また、前記メッセージは自動出力までの残り時間を示したものでもあり、表示されている残り時間の値は時間経過と共にデクリメントされるようになっている。さらに、図２（ａ）の画像では、自動出力までの残り時間を示すメーターも表示され、利用者が残り時間を認識し易いようになっている。また、図２（ａ）の画像では、出力コマンド（印刷コマンド）を入力するためのＹｅｓボタン、および、キャンセルコマンドを入力するためのＮｏボタンも示されている。
【００５６】
なお、図２（ａ）の画像では、時間経過と共に残り時間の値をデクリメントしているが、単に「１０秒間キー操作が無い場合は自動実行します」というメッセージを表示するような形態であっても構わない（つまり、表示している時間の値をデクリメントせず固定にする）。
【００５７】
認証部５９ｅは、リードライト部５８によってＩＣカードから読み取られたユーザＩＤと操作パネル５７から入力されたパスワードとを用いて利用者認証を行うブロックである。但し、本実施形態では、リードライト部５８と同様、認証部５９ｅは特に備えられていなくても構わない。
【００５８】
つぎに、ジョブ制御部５９ｃによって実行される自動出力について図３を用いてさらに詳細に説明する。図３は、ジョブ制御部５９ｃの処理の流れを示したフローチャートである。なお、以下では複写モードにおける自動出力を例にして図３の内容を説明する。
【００５９】
ジョブ制御部５９ｃは、複写モードにおいて、出力（印刷）の対象となる画像のプレビューの表示を開始すると、ループカウント１（通常状態）を設定し（Ｓ１）、第１閾値時間を閾値時間として設定し（Ｓ２）、カウンタをリセットするようになっている（Ｓ３）。その後、ジョブ制御部５９ｃは、単位時間だけ待機してから（Ｓ４）、単位時間を示す値だけカウンタをインクリメントする（Ｓ５）。なお、本実施形態では、第１閾値時間を６０秒として単位時間を０．０１秒とするが、第１閾値時間および単位時間はこれら値に限定されるものではない。
【００６０】
そして、Ｓ４の待機中において利用者が操作パネル５７を操作して出力コマンドを入力した場合（Ｓ６にてＮＯ，Ｓ７にてＹＥＳ）、ジョブ制御部５９ｃは、表示されているプレビューに対応する画像の出力（印刷）をプリント部５３に実行させ、ジョブを終了する。また、Ｓ４の待機中において利用者が操作パネル５７を操作してキャンセルコマンドを入力した場合（Ｓ６にてＮＯ，Ｓ７にてＹＥＳ）、ジョブ制御部５９ｃは、プリント部５３に画像を出力（印刷）させずに、ジョブを終了する。なお、ジョブ制御部５９ｃは、ジョブの終了に伴い、プレビューの表示も終了する。
【００６１】
さらに、Ｓ４の待機中において、利用者が操作パネル５７を用いて出力コマンドの入力およびキャンセルコマンドの入力以外の操作を行った場合、ジョブ制御部５９ｃは処理をＳ１に戻すようになっている（Ｓ６にてＮＯ，Ｓ７にてＮＯ）。
【００６２】
これに対し、Ｓ４の待機中において利用者による操作が無い場合（Ｓ６にてＹＥＳ）、ジョブ制御部５９ｃは、カウンタの値が閾値時間以上になっているか否かを判定する（Ｓ８）。カウンタの値が閾値時間以上ではない場合（Ｓ８にてＮＯ）、ジョブ制御部５９ｃは、処理をＳ４に戻すようになっている。
【００６３】
そして、Ｓ４〜Ｓ６，Ｓ８が繰り返し実行され、カウンタの値が閾値時間以上になった場合（Ｓ８にてＹＥＳ）、ジョブ制御部５９ｃは、ループカウント２（出力確認状態）が設定されているかを判定する（Ｓ９）。
【００６４】
ここで、最初にＳ９に到達した場合はループカウント１であってループカウント２ではないため、図３に示すように、ジョブ制御部５９ｃは処理をＳ１０に移行する。Ｓ１０では、ジョブ制御部５９ｃは予告部５９ｄに指示を出し、この指示を受けた予告部５９ｄは、図２（ａ）に示す画像を表示部５７ａに表示することで、後に自動印刷される事を利用者に予告するようになっている。なお、図２（ａ）に示す画像に表示する残り時間は、後述するＳ１２にて設定される第２閾値時間であり、第２閾値時間は１０秒であるものとする。但し、第２閾値時間は、１０秒に限定されるものではなく、変更可能な値である。
【００６５】
Ｓ１０の後、ジョブ制御部５９ｃは、ループカウント１の設定を解消すると共にループカウント２を設定する（Ｓ１１）。Ｓ１１の後、ジョブ制御部５９ｃは、第１閾値時間の設定を解消すると共に第２閾値時間を閾値時間として設定し（Ｓ１２）、処理をＳ３に移行させ、カウンタをリセットする。その後、Ｓ４〜Ｓ８が実行される。なお、ループカウント２が設定されている状況下では、予告部５９ｄは、時間の経過と共に、図２（ａ）の画像にて示される残り時間をデクリメントするようになっている。
【００６６】
そして、Ｓ４〜Ｓ６，Ｓ８が繰り返されることによってカウンタの値が閾値時間以上になると（Ｓ８にてＹＥＳ）、ジョブ制御部５９ｃは、ループカウント２（出力確認状態）が設定されているかを判定する（Ｓ９）。Ｓ９への到達が２回目の場合はループカウント２が設定されているため、図３に示すように、ジョブ制御部５９ｃは処理をＳ１３に移行する。そして、Ｓ１３において、ジョブ制御部５９ｃは、利用者からの出力コマンドを受けないまま、表示されているプレビューに対応する画像の出力（印刷）をプリント部５３に実行させ、ジョブを終了する。また、ジョブ制御部５９ｃは、ジョブの終了に伴い、プレビューの表示も終了する。
【００６７】
なお、以上では、複写モードにおける出力処理（印刷処理）を例にして図３の処理内容を説明したが、図３の処理内容は、ファクシミリ受信モードにおける出力処理（印刷）にも適用されるものであり、ファクシミリ送信モードおよびイメージ送信モードにおける出力処理（送信）にも適用されるものである。
【００６８】
但し、ファクシミリ送信モードおよびイメージ送信モードにおける出力処理の場合、プレビュー表示される画像は送信対象となる画像である。また、この場合、Ｓ４の待機中において利用者が操作パネル５７を操作して出力コマンドを入力すると（Ｓ６にてＮＯ，Ｓ７にてＹＥＳ）、ジョブ制御部５９ｃは、送信装置５５またはイメージ送信部５９ａに送信処理（出力処理）を行わせることになる。さらに、Ｓ１３においては、ジョブ制御部５９ｃは、利用者からの出力コマンドを受けないまま、表示されているプレビューの画像の送信を送信装置５５またはイメージ送信部５９ａに実行させることになる。
【００６９】
以上示した図３の処理において第１閾値時間と第２閾値時間とを合わせた時間を所定時間とする場合、ジョブ制御部５９ｃは、表示部５７ａにプレビューが表示されている間に利用者による操作の無い状態が所定時間続くと、表示されているプレビューに対応する画像を出力するジョブを複合機５０に実行させるようになっている（Ｓ１３）。それゆえ、プレビューを表示させたまま利用者が操作を行わない状況が続いても、所定時間が経過すると、表示されているプレビューに対応するジョブは強制的に終了されてしまうため、当該ジョブを入力した利用者とは別の利用者が複合機５０を利用することが可能になる。それゆえ、複合機５０の能率の低下を抑制できるという効果を奏する。
【００７０】
また、プレビューを長時間表示させたままであるとセキュリティの面から好ましくないという問題が生じる。これに対し、本実施形態の処理によれば、プレビューが表示されている間に利用者による操作の無い状態が所定時間続くと、ジョブを強制実行すると共にプレビューの表示を終了するため、以上の問題を抑制できる。
【００７１】
また、プレビュー機能を有する複合機において、プレビュー機能を使用しない場合は１回のコマンド入力でスキャン指示と印刷指示との両方が行われるようになっており、プレビューを表示させた上で複写を行う場合はスタートコマンド（スキャン指示）と出力コマンド（印刷コマンド）とを別々で入力するようになっている事が多い。それゆえ、プレビュー機能を使用する場合にコマンドを２回入力する必要がある事を知らない利用者（不慣れな利用者）が、プレビューを表示させたまま、その後の操作手法がわからず、戸惑ってしまうという問題が生じることが想定される。これに対し、本実施形態の処理によれば、１回のコマンド入力でも、所定時間経過後に強制的にジョブが実行されるため、以上の問題を回避できる。
【００７２】
また、本実施の形態では、予告部５９ｄは、利用者による操作の無い状態が前記所定時間よりも短い第１閾値時間続いた場合に、表示されているプレビューに対応する画像の出力処理が強制的に実行されることを利用者に予告していることになる。そして、ジョブ制御部５９ｃは、予告部５９ｄによる予告が行われた後で、表示されているプレビューの画像の出力処理を複合機５０に実行させるようになっている。それゆえ、利用者にとって不意にジョブが強制実行されることを抑制でき、ジョブの強制実行を望まない利用者は強制実行を禁止するための必要な措置を講じることができる。なお、図３の例でいえば、キャンセルコマンドを入力するか、何らかの操作を行うことで強制実行を回避できる。また、何らかの操作を行うことで（Ｓ７にてＮＯ）、継続してプレビューの内容の確認を行うことができる。
【００７３】
また、予告部５９ｄによる予告は特に行われなくてもよい。この点について以下説明する。図３において、Ｓ１、Ｓ２、Ｓ９〜Ｓ１２を使用せず、Ｓ８でＹＥＳの場合は必ずＳ１３に移行するように設定する。このようにしても、ジョブ制御部５９ｃは、表示部５７ａにプレビューが表示されている間に利用者による操作の無い状態が所定時間（Ｓ８の閾値時間）続くと、表示されているプレビューに対応する画像を出力するジョブを複合機５０に実行させることになる。
【００７４】
また、通常のプレビュー機能付きの複合機では、プレビュー表示されている間、スキャン処理を行えない。それゆえ、プレビュー表示されている間、プリントモードのデータを受信して印刷処理を行う事およびファクシミリ受信モードのデータを受信する事は可能になっているが、複写モード、ファクシミリ送信モード、イメージ送信モードにおけるジョブを受け付けることはできない。それゆえ、プレビュー表示されたままであって当該プレビューに対応するジョブが終了しない場合、このジョブを入力した利用者とは別の利用者が複写モード，ファクシミリ送信モード，イメージ送信モードのジョブの入力を行えず、複合機の能率を低下させることになる。これに対し、本実施の形態の複合機５０では、プレビューを表示させたまま利用者が操作を行わない状況が続くと、表示されているプレビューに対応するジョブは強制的に終了されてしまうため、当該ジョブを入力した利用者とは別の利用者が画像入力装置５１を操作して複写モード，ファクシミリ送信モード，イメージ送信モードのジョブの入力を行うことが可能になる。それゆえ、本実施の形態の複合機５０では、プレビューが表示され続けることによって生じる能率の低下を抑制できるという効果を奏する。
【００７５】
〔実施の形態２〕
実施の形態１では、ジョブ制御部５９ｃは、表示部５７ａにプレビューが表示されている間に複合機５０に対する利用者の操作の無い状態が所定時間続いた場合、プレビューに対応する画像を出力するジョブを複合機５０に実行させる形態であった。
【００７６】
しかしながら、ジョブ制御部５９ｃは、このような形態に限定されるものではない。例えば、ジョブ制御部５９ｃは、表示部５７ａにプレビューが表示されている間に複合機５０に対する利用者の操作の無い状態が所定時間続いた場合、プレビューに対応する画像を出力するジョブを保留状態にする形態であっても構わない。本実施形態ではこの形態のジョブ制御部５９ｃについて説明する。なお、本実施形態の各部材は、特に説明の無い限り、実施の形態１において同じ番号の付された部材と同じ機能を有するものとする。
【００７７】
本実施の形態では、複合機５０に入力されるジョブは図４に示すジョブリストに登録され、制御装置５９はジョブリストに基づいてジョブの実行を制御している。図４に示すように、ジョブリストには、複合機５０に入力されているジョブ毎に、ジョブのデータ（以下「ジョブデータ」と称す）が示される。ジョブデータには、ジョブＩＤ、ユーザＩＤ、モード、時刻、状態がある。ここで、ジョブＩＤとはジョブの識別情報であり、ユーザＩＤとはジョブを入力したユーザの識別情報であり、モードとはジョブの種別を示したものであり、時刻はジョブデータの入力時刻（または設定時刻）を示したものであり、状態はジョブの状態を示したものである。また、上記時刻は、最終更新時刻（保留ジョブであれば保留状態へ移行した時刻、出力中ジョブであれば一定間隔で更新される時刻）であってもよい。
【００７８】
また、ジョブの状態には、出力状態、待機状態、受信状態、保留状態がある。なお、図４では、出力状態は「出力中」として示され、受信状態は「データ受信中」として示され、保留状態は「保留」として示されている。また、図４では待機状態のジョブはジョブリストにあげられていないが、待機状態はジョブリストにおいて「待機中」として示される。
【００７９】
そして、出力状態とは、出力処理が実行されている状態を示す。待機状態とは、出力状態のジョブがあるために、出力待ちになっている状態を意味する。つまり、待機状態のジョブは、この待機状態のジョブ以外のジョブであって出力状態のジョブがなくなると、出力状態に移行するようになっている。但し、待機状態のジョブが複数あるときは、入力された順に出力状態へ移行するようになっている。
【００８０】
受信状態とは、ジョブを実行する上で必要となる画像データを受信している状態を示したものである。つまり、受信状態はプリントモードまたはファクシミリ受信モードにおいて画像データを受信している状態を示している。そして、データ受信の終了したジョブは受信状態から出力状態、待機状態、保留状態のいずれかに移行するようになっている。
【００８１】
保留状態とは、ジョブの実行が保留されている状態を示したものである。この保留状態は、利用者からの保留コマンドが入力されることによって設定され、また、プレビューが表示されている間に利用者による操作の無い状態が所定時間続いた場合に設定されるようになっている。また、ファクシミリ受信モードにおけるジョブは、受信状態の後、保留状態に移行するようになっていてもよい。なお、本実施の形態では、前記保留コマンドを入力するための画像（図２（ｂ）参照）はプレビュー表示中の所定のタイミングにて自動的に表示されるようになっている。
【００８２】
保留状態のジョブは実行されることなく、そのジョブのジョブデータおよび画像データが記憶装置５４に保存され続ける。そして、利用者からのコマンドによって保留状態は解除され、保留状態の解除されたジョブは出力状態または待機状態に移行するようになっている。
【００８３】
また、本実施形態では、ジョブが保留状態に移行した場合、このジョブを入力した利用者に対してジョブを保留状態にしたことを示す電子メールが送信されるようになっている。ここで、電子メールの送信手法について以下に説明する。
本実施形態では、記憶装置５４において、利用者のユーザＩＤと当該利用者のパスワードと当該利用者のメールアドレスとが対応付けられて記憶されている。ここで、利用者は、複合機５０を使用するに際し、操作パネル５７からパスワードを入力すると共に、ＩＣカードに記憶されているユーザＩＤ（利用者ＩＤ）をリードライト部５８に読み取らせる。そして、認証部５９ｅは、ユーザＩＤおよびパスワードを用いて利用者認証を行う。つまり、認証部５９ｅは、入力されたパスワードおよび読み取られたユーザＩＤの組み合わせが記憶装置５４に記憶されているものと一致する場合、パスワードを入力した利用者を真正利用者として判定する。さらに、この利用者が複合機５０を操作してジョブを入力すると、この利用者のユーザＩＤを基にしてジョブデータが作成される。そして、図示しないメール処理部は、このジョブが保留状態に移行すると、当該ジョブのジョブデータにおけるユーザＩＤに対応付けられているメールアドレスを記憶装置５４から読み出し、このメールアドレスに前記電子メールを送信するようになっている。このようにして、保留状態にされたジョブを入力した利用者に対し、ジョブを保留状態にしたことを示す電子メールが送信されるようになっている。
【００８４】
つぎに、本実施形態のジョブ制御部５９ｃについて説明する。本実施形態のジョブ制御部５９ｃは、実施の形態１と同様、複写モード、ファクシミリ送信モード、ファクシミリ受信モード、イメージ送信モードにおける印刷・送信・ファイリング等の出力処理の実行前において、各モードにおいて出力処理の対象となる画像のプレビューを表示部５７ａに表示させる機能を有している。
【００８５】
しかし、本実施形態のジョブ制御部５９ｃは、表示部５７ａにプレビューが表示されている間に複合機５０に対する利用者の操作のない状態が所定時間続いた場合、表示されているプレビューの画像を出力するジョブを複合機５０に実行させるのではなく、表示されているプレビューの画像を出力するジョブを前記保留状態にするようになっている。
【００８６】
つまり、複写モード、ファクシミリ受信モード、ファクシミリ送信モード、イメージ送信モードにおいて、表示部５７ａにプレビューが表示されている間、利用者が複合機５０に対して所定時間何らの操作も行わない場合、ジョブ制御部５９ｃは、利用者からのコマンドがなくとも、表示されているプレビューの画像を出力（印刷，送信）するジョブを強制的に保留状態にする。そして、保留状態に移行したジョブは、図４のジョブリストにおいて「保留」として示されることになる。
【００８７】
また、本実施形態の予告部５９ｄは、利用者からのコマンド無しでジョブが保留状態にされる前に、保留状態にされることを予告するメッセージを表示部５７ａに表示する。図２（ｂ）は、本実施形態において、予告部５９ｄによって表示部５７ａに表示される画像であり、ジョブが強制的に保留状態にされる事を予告するメッセージを示した画像である。また、図２（ｂ）の画像には、保留コマンドを入力するためのＹｅｓボタン、および、図２（ｂ）の画像の表示を終了させるためのＮｏボタンも示されている。
【００８８】
つぎに、本実施形態におけるジョブ制御部５９ｃの処理について図５を用いてさらに詳細に説明する。図５は、実施の形態２においてのジョブ制御部５９ｃの処理の流れを示したフローチャートである。なお、以下では複写モードにおける処理を例にして図５の内容を説明する。
【００８９】
まず、図５のＳ２１〜Ｓ２６については、図３のＳ１〜Ｓ６と同じ内容であり、ここではその説明を省略する。また、Ｓ２２の第１閾値時間もＳ２の第１閾値時間と同様に６０秒であり、Ｓ２４の単位時間もＳ４の単位時間と同様に０．０１秒とするが、これら値に限定されるものではない。
【００９０】
そして、Ｓ２４の待機中に利用者が操作パネル５７を操作して出力コマンドを入力した場合（Ｓ２６およびＳ２７にてＮＯ，Ｓ３３にてＹＥＳ）、ジョブ制御部５９ｃは、表示されているプレビューに対応する画像の出力（印刷）をプリント部５３に実行させ、ジョブを終了する。なお、ジョブの終了に伴い、プレビューの表示も終了するようになっている。
【００９１】
また、Ｓ２４の待機中において、利用者が操作パネル５７を用いて出力コマンドの入力以外の操作を行った場合、ジョブ制御部５９ｃは処理をＳ２１に戻すようになっている（Ｓ２６，Ｓ２７，およびＳ３３にてＮＯ）。
【００９２】
これに対し、Ｓ２４の待機中において利用者による操作が無い場合（Ｓ２６にてＹＥＳ）、ジョブ制御部５９ｃは、カウンタの値が閾値時間以上になっているか否かを判定する（Ｓ２８）。カウンタの値が閾値時間以上ではない場合（Ｓ２８にてＮＯ）、ジョブ制御部５９ｃは、処理をＳ２４に戻すようになっている。
【００９３】
そして、Ｓ２４〜Ｓ２６，Ｓ２８が繰り返し実行され、カウンタの値が閾値時間以上になった場合（Ｓ２８にてＹＥＳ）、ジョブ制御部５９ｃは、ループカウント２（出力確認状態）が設定されているかを判定する（Ｓ２９）。ここで、最初にＳ２９に到達した場合、設定されているのはループカウント１であってループカウント２ではないため、図５に示すように、ジョブ制御部５９ｃは処理をＳ３０に移行する。
【００９４】
Ｓ３０では、ジョブ制御部５９ｃは予告部５９ｄに指示を出し、この指示を受けた予告部５９ｄは、図２（ｂ）に示す画像を表示部５７ａに表示することで、後にジョブが強制的に保留状態になる事を利用者に予告するようになっている。また、Ｓ３０において図２（ｂ）に示す画像が表示されることにより、利用者は保留コマンドを入力できるようになる。なお、図２（ｂ）に示す画像に表示する残り時間は、後述するＳ３２にて設定される第２閾値時間であり、第２閾値時間は実施の形態１と同様に１０秒であるものとする。但し、第２閾値時間は、１０秒に限定されるものではなく、変更可能な値である。
【００９５】
Ｓ３０の後、ジョブ制御部５９ｃは、ループカウント１の設定を解消すると共にループカウント２を設定する（Ｓ３１）。また、ジョブ制御部５９ｃは、第１閾値時間の設定を解消すると共に第２閾値時間を閾値時間として設定し（Ｓ３２）、処理をＳ２３に移行させ、カウンタをリセットする。その後、Ｓ２４〜Ｓ２８が実行される。
【００９６】
そして、ループカウント２が設定されている状況下においては、図２（ｂ）に示す画像が表示部５７ａに表示されているため、利用者は保留コマンドを入力することが可能になっている。そこで、ループカウント２が設定されている状況下において、Ｓ２４の待機中に利用者が保留コマンドを入力した場合（Ｓ２６にてＮＯ，Ｓ２７にてＹＥＳ）、ジョブ制御部５９ｃは、表示されているプレビューに対応する画像の出力（印刷）を実行するジョブを保留状態にする（Ｓ３４）。Ｓ３４の後、図示しないメール処理部は、保留にされたジョブの利用者のメールアドレスが記憶装置５４に登録されているか否かを判定する（Ｓ３５）。登録されている場合（Ｓ３５にてＹＥＳ）、メール処理部は、保留にされたジョブの利用者のメールアドレスに、ジョブを保留状態にしたことを示す電子メールを送信する（Ｓ３６）。この電子メールが送信されると、処理が終了するようになっている。また、保留にされたジョブの利用者のメールアドレスが登録されていない場合（Ｓ３５にてＮＯ）、電子メールは送信されずに処理が終了するようになっている。なお、ジョブが保留状態にされると、当該ジョブにおけるプレビューの表示も終了する。
【００９７】
そして、Ｓ２４〜Ｓ２６，Ｓ２８が繰り返し実行され、カウンタの値が閾値時間以上になると（Ｓ２８にてＹＥＳ）、ジョブ制御部５９ｃは、再度、ループカウント２が設定されているかを判定する（Ｓ２９）。ここで、２度目にＳ２９に到達した場合はループカウント２が設定されているため、図５に示すように、ジョブ制御部５９ｃは処理をＳ３４に移行する。そして、ジョブ制御部５９ｃは、利用者からの保留コマンドを受けないまま、表示されているプレビューに対応する画像の出力（印刷）を実行するジョブを強制的に保留状態にする（Ｓ３４）。その後、利用者のメールアドレスが登録されている場合は利用者に対する電子メールの送信が行われた上で処理が終了し、メールアドレスが登録されていない場合は電子メールが送信されずに処理が終了するようになっている（Ｓ３５，Ｓ３６）。
【００９８】
以上示した図５の処理において第１閾値時間と第２閾値時間とを合わせた時間を所定時間とする場合、ジョブ制御部５９ｃは、表示部５７ａにプレビューが表示されている間に複合機５０に対する利用者の操作の無い状態が所定時間続くと、表示されているプレビューに対応する画像を出力するジョブを保留状態にするようになっている（Ｓ３４）。それゆえ、プレビューを表示させたまま利用者が操作を行わない状況が続いても、所定時間が経過すると、表示されているプレビューに対応する画像を出力するジョブは強制的に保留状態にされてしまうため、当該ジョブを入力した利用者とは別の利用者が複合機５０を利用することが可能になる。それゆえ、複合機５０の能率の低下を抑制できるという効果を奏する。
【００９９】
また、複合機５０にプレビュー表示をさせたまま、利用者が火急の用事で複合機５０から離れてしまうような場合、ジョブを強制的に保留にすると共にプレビューの表示を終了するため、ジョブの内容についてセキュリティを確保できると共に、ジョブを再入力（例えば再スキャン）することなく、後にジョブに関する作業を再開できる。
【０１００】
また、図５の手順によれば、予告部５９ｄは、利用者による操作の無い状態が前記所定時間よりも短い第１閾値時間続いた場合に、表示されているプレビューに対応するジョブを保留にすることを利用者に予告していることになる。それゆえ、利用者にとって不意にジョブが強制的に保留状態にされてしまうことを抑制できるという効果を奏する。例えば、ジョブの保留を望まずに出力を望む利用者からすれば、出力コマンド入力を行うことでジョブが強制的に保留にされてしまわないようにすることができる。
【０１０１】
なお、図５の処理内容が、ファクシミリ受信モードにおける出力処理（印刷）にも適用されるものであり、ファクシミリ送信モードおよびイメージ送信モードにおける出力処理（送信）にも適用されるものであることは、図３の場合と同様である。
【０１０２】
また、以上では、複合機５０において利用者へのメール通知が有効に設定されていることを前提として説明したが、メール通知が有効に設定されていない場合、および、複合機５０がメール通知機能を有さない場合、図５においてＳ３５およびＳ３６を使用せず、Ｓ３４の後はＥＮＤに移行するようになっている。
【０１０３】
さらに、本実施形態においても、予告部５９ｄによる予告は特に行われなくてもよい。この場合、図５において、Ｓ２１、Ｓ２２、Ｓ２７、Ｓ２９〜Ｓ３２を使用せず、Ｓ２８でＹＥＳの場合は必ずＳ３４に移行し、Ｓ２６にてＮＯの場合は必ずＳ３３に移行するように設定する。
【０１０４】
さらに、以上では、Ｓ３０において図２（ｂ）の画像が表示されることによって、利用者は保留コマンドを入力できるようになる形態であるが、このような形態に限定されるものではない。例えば、プレビューの表示を開始すると共に、保留コマンドを入力するためのＧＵＩをプレビューと共に表示部５７ａに表示させれば、プレビューが表示されている間は常に保留コマンドを入力することが可能となる。
【０１０５】
また、図５の処理によって保留に設定されたジョブは、保留状態のジョブとしてジョブリストに登録されることになる。そして、ジョブリストに登録されているジョブのうち保留状態のジョブが利用者に選択され、選択されたジョブの保留状態を解除する解除コマンドおよびプレビューコマンドが利用者によって入力されると、ジョブ制御部５９ｃは、当該ジョブにて出力の対象となる画像のプレビューを表示部５７ａに再度表示し、図５の処理を再度開始する。
【０１０６】
また、ユーザビリティ向上のため、利用者が複合機５０に対して操作を開始すると、この開始時点で保留状態になっているジョブのみからなるジョブリストを表示部５７ａに表示するようになっていてもよい。その際に表示する内容としては、図４の「モード」「時刻」の他、ジョブにおいて処理対象となる画像のサムネイル（複数頁存在する場合は１ページ目の画像）がある。また、モードや時刻でリスト表示をフィルタすることができるようにしてもよい（例えば、フィルタ条件として「複写モード」とすれば、複写モード以外のモードのジョブはリストからはずれて当該ジョブに関する情報は表示されなくなる）。
【０１０７】
さらに、複合機５０を操作している利用者のジョブのみに限定して、保留状態になっているジョブのみからなるジョブリストを表示する形態であってもよい。以下、この形態について説明する。まず、利用者は、複合機５０を使用するに際してパスワードおよびユーザＩＤを入力する。そして、認証部５９ｅは、入力されたパスワードおよびユーザＩＤを用いて利用者認証を行い、この利用者認証後、入力されたユーザＩＤに対応する保留状態のジョブを記憶装置５４から検索する。さらに、認証部５９ｅは、入力されたユーザＩＤに対応する保留状態のジョブがある場合、そのユーザＩＤに対応するジョブのみからなるジョブリストを表示する。
【０１０８】
また、Ｓ３６において、ジョブを保留状態にしたことを示す電子メールを送る際、保留状態にしたジョブのジョブＩＤも電子メールに記述しておく。そして、利用者が当該電子メールを複合機５０に返信すると、当該ジョブの保留状態が解除されて出力が行われるようにしてもよい。また、ネットワーク経由で複合機５０へアクセスして、ファイリング情報を参照し、出力を指示してもよい。
【０１０９】
さらに、図５において、Ｓ２９からＳ３４に移行することでジョブが強制的に保留状態にされた場合、保留状態にされたことを利用者が認識していない可能性がある。そして、利用者の認識していない保留ジョブが記憶装置５４に蓄積されると、記憶装置５４の容量が枯渇する可能性もある（通常、保留状態でないジョブは実行されると記憶装置５４から消去されるが、保留状態のジョブはユーザから特に指示がない場合は残り続ける）。それゆえ、ある一定期間（例えば、１日や１週間）経過すると保留ジョブを記憶装置５４から消去するようにしてもよい。
【０１１０】
なお、ジョブリストを用いた処理はやや複雑であるため、実施の形態２は複合機５０の使用に慣れている利用者（例えば、複合機５０の設置されているオフィスの利用者）に向いているといえる。これに対し、実施の形態２よりも処理内容の単純な実施の形態１は、複合機５０の使用に不慣れな利用者向きといえる。
【０１１１】
〔実施の形態３〕
実施の形態３は、表示部５７ａに表示されているプレビューに対応するジョブの内容に応じて下記の第１制御処理および第２制御処理のうちのいずれかの制御処理が選択され、表示部５７ａにプレビューが表示されている間に複合機５０に対する利用者の操作の無い状態が所定時間続いた場合には前記選択された制御処理を実行する形態である。
第１制御処理：表示部５７ａに表示されているプレビューに対応するジョブを複合機５０に実行させる。
第２制御処理：表示部５７ａに表示されているプレビューに対応するジョブを保留状態にする。
【０１１２】
つまり、実施の形態３は、プレビューが表示されている間に利用者の操作の無い状態が所定時間続いた場合はジョブを複合機５０に実行させるという実施の形態１の処理と、プレビューが表示されている間に利用者による操作の無い状態が所定時間続いた場合はジョブを保留にするという実施の形態２の処理とのいずれかを選択して実行するものである。なお、本実施形態の各部材は、特に説明の無い限り、実施の形態１および実施の形態２において同じ番号の付された部材と同じ機能を有するものとする。
【０１１３】
本実施形態では、記憶装置５４には、図６に示される条件・処理テーブルが予め保存されている。この条件・処理テーブルとは、図６に示すように、ジョブの条件（ジョブの内容）を示した条件情報（内容情報）と、当該ジョブの条件に適した制御処理を示した処理情報との対応関係を示したテーブルである。なお、処理情報には、第１制御処理および第２制御処理のうちのいずれかが示される。
【０１１４】
そして、本実施形態では、ジョブ制御部５９ｃは、記憶装置５４にアクセスして条件・処理テーブルを参照し、表示されているプレビューに対応するジョブの条件と同一条件の条件情報を検索し、検索にて抽出された条件情報に対応付けられている処理情報を検出する。そして、ジョブ制御部５９ｃは、表示部５７ａにプレビューが表示されている間に利用者による操作の無い状態が所定時間続いた場合、検出した処理情報に示される制御処理を実行する。
【０１１５】
つまり、ジョブ制御部５９ｃは、図６の条件・処理テーブルを参照して、表示部５７ａに表示されているプレビューに適した制御処理として、第１制御処理および第２制御処理のうちのいずれかを選択する。そして、ジョブ制御部５９ｃは、表示部５７ａにプレビューが表示されている間に利用者による操作の無い状態が所定時間続いた場合には選択した制御処理を実行する。
【０１１６】
図６の内容からすれば、表示されているプレビューに対応するジョブが複写モードにおけるカラー印刷の場合、ジョブ制御部５９ｃは第２制御処理を選択するようになっている。また、表示されているプレビューに対応するジョブが複写モードにおけるモノクロ印刷で１０枚未満の印刷の場合、ジョブ制御部５９ｃは第１制御処理を選択するようになっている。
【０１１７】
つぎに、本実施形態におけるジョブ制御部５９ｃの処理について図７を用いてさらに詳細に説明する。図７は、実施の形態３においてのジョブ制御部５９ｃの処理の流れを示したフローチャートである。
【０１１８】
なお、以下では複写モードにおける処理を例にして図７の内容を説明する。それゆえ、図７のＳＴＡＲＴの時点において、複写モードにて印刷対象とされる画像のプレビューの表示が開始されるものとする。また、実施の形態２では、ジョブを保留にする保留コマンドの入力は図２（ｂ）の画像が表示されてからでなければ行えなかったが、本実施の形態では、プレビューの表示中は保留コマンドの入力を行えるようになっている。
【０１１９】
まず、図７のＳ４１〜Ｓ４６については、図３のＳ１〜Ｓ６と同じ内容であり、ここではその説明を省略する。また、Ｓ４２の第１閾値時間もＳ２の第１閾値時間と同様に６０秒であり、Ｓ４４の単位時間もＳ４の単位時間と同様に０．０１秒とするが、これら値に限定されるものではない。
【０１２０】
そして、図７のＳ４４の待機中に利用者が操作パネル５７を操作して出力コマンドを入力した場合（Ｓ４６にてＮＯ，Ｓ４７にてＹＥＳ）、ジョブ制御部５９ｃは、表示されているプレビューに対応する画像の出力（印刷）をプリント部５３に実行させ、ジョブを終了する。なお、ジョブの終了に伴い、プレビューの表示も終了するようになっている。
【０１２１】
また、Ｓ４４の待機中において、利用者が操作パネル５７を用いて保留コマンドを入力した場合（Ｓ４６およびＳ４７にてＮＯ，Ｓ４８にてＹＥＳ）、ジョブ制御部５９ｃは、表示されているプレビューに対応する画像の出力（印刷）を実行するジョブを保留状態にする（Ｓ４９）。なお、ジョブが保留状態に移行されるに伴い、当該ジョブのプレビューの表示も終了するようになっている。
【０１２２】
さらに、Ｓ４４の待機中に利用者が操作パネル５７を操作して出力コマンドの入力および保留コマンドの入力以外の操作を行った場合（Ｓ４６，Ｓ４７，およびＳ４８にてＮＯ）、ジョブ制御部５９ｃは処理をＳ４１に戻すようになっている。
【０１２３】
これに対し、Ｓ４４の待機中において利用者による操作が無い場合（Ｓ４６にてＹＥＳ）、ジョブ制御部５９ｃは、カウンタの値が閾値時間以上になっているか否かを判定する（Ｓ５０）。カウンタの値が閾値時間以上ではない場合（Ｓ５０にてＮＯ）、ジョブ制御部５９ｃは、処理をＳ４４に戻すようになっている。
【０１２４】
そして、Ｓ４４〜Ｓ４６，Ｓ５０が繰り返し実行され、カウンタの値が閾値時間以上になった場合（Ｓ５０にてＹＥＳ）、ジョブ制御部５９ｃは、ループカウント２（出力確認状態）が設定されているかを判定する（Ｓ５１）。ここで、最初にＳ５１に到達した場合、設定されているのはループカウント１であってループカウント２ではないため、図７に示すように、ジョブ制御部５９ｃは処理をＳ５２に移行する。
【０１２５】
Ｓ５２において、ジョブ制御部５９ｃは、図６の条件・処理テーブルを参照し、表示部５７ａに表示されているプレビューに対応するジョブの内容に応じて、第１制御処理および第２制御処理のうちのいずれかの制御処理を選択する。
第１制御処理：表示部５７ａに表示されているプレビューに対応するジョブを複合機５０に実行させる。
第２制御処理：表示部５７ａに表示されているプレビューに対応するジョブを保留状態にする。
【０１２６】
Ｓ５２の後、ジョブ制御部５９ｃは予告部５９ｄに指示を出し、この指示を受けた予告部５９ｄは、Ｓ５２にて選択した制御処理を後に行う事を利用者に予告する（Ｓ５３）。具体的に、予告部５９ｄは、Ｓ５２にて第１制御処理を選択した場合は、図２（ａ）に示す画像を表示部５７ａに表示することで、後に印刷される事を利用者に予告する。また、予告部５９ｄは、Ｓ５２にて第２制御処理を選択した場合は、図２（ｂ）に示す画像を表示部５７ａに表示することで、後にジョブが保留状態になる事を利用者に予告するようになっている。
【０１２７】
なお、図２（ａ）または図２（ｂ）に示す画像に示される残り時間は、後述するＳ５５にて設定される第２閾値時間であり、第２閾値時間は実施の形態１、２と同様に１０秒であるものとする。但し、第２閾値時間は、１０秒に限定されるものではなく、変更可能な値である。
【０１２８】
Ｓ５３の後、ジョブ制御部５９ｃは、ループカウント１の設定を解消すると共にループカウント２を設定する（Ｓ５４）。また、ジョブ制御部５９ｃは、第１閾値時間の設定を解消すると共に第２閾値時間を閾値時間として設定し（Ｓ５５）、処理をＳ４３に移行させ、カウンタをリセットする。その後、Ｓ４４〜Ｓ５０が実行される。
【０１２９】
そして、Ｓ４４〜Ｓ４６，Ｓ５０が繰り返されることによってカウンタの値が閾値時間以上になると（Ｓ５０にてＹＥＳ）、ジョブ制御部５９ｃは、ループカウント２（出力確認状態）が設定されているかを判定する（Ｓ５１）。ここで、２度目にＳ５１に到達した場合はループカウント２が設定されているため、図７に示すように、ジョブ制御部５９ｃは処理をＳ５６に移行する。
【０１３０】
Ｓ５６では、ジョブ制御部５９ｃは、Ｓ５２にて選択した制御処理を実行し、処理を終了する。なお、プレビューの表示も終了する。つまり、Ｓ５６において、表示されているプレビューに対応するジョブの実行、および、表示されているプレビューに対応するジョブを保留状態へ移行させる処理のいずれかが行われるようになっている。なお、図６の例によれば、プレビューに対応するジョブの内容がカラー印刷である場合、Ｓ５６にてジョブが保留されることになる。また、プレビューに対応するジョブの内容がモノクロ印刷であって印刷枚数が１０枚未満である場合、Ｓ５６にてジョブが実行されることになる。また、プレビューに対応するジョブの内容がモノクロ印刷であって印刷枚数が１０枚以上の場合、Ｓ５６にてジョブが保留状態にされることになる。
【０１３１】
以上示した図７の処理において、第１閾値時間と第２閾値時間とを合わせた時間を所定時間とする場合、ジョブ制御部５９ｃは、プレビューが表示されている間に複合機５０に対する利用者の操作の無い状態が所定時間続くと、前記プレビューに対応するジョブを複合機５０に実行させる第１制御処理、および、前記プレビューに対応するジョブを保留状態にする第２制御処理のいずれかを実行するようになっている（Ｓ５６）。それゆえ、プレビューを表示させたまま利用者が操作を行わない状況が続いても、所定時間が経過すると、表示されているプレビューに対応する画像を出力するジョブが強制的に実行されるか保留状態にされてしまうため、当該ジョブを入力した利用者とは別の利用者が複合機５０を利用することが可能になる。それゆえ、複合機５０の能率の低下を抑制できるという効果を奏する。
【０１３２】
また、ジョブ制御部５９ｃは、図６に示される条件・処理テーブルを参照して、第１制御処理および第２制御処理のうち、表示されているプレビューに対応するジョブに適した制御処理を選択している。それゆえ、第１制御処理および第２制御処理のうち、ジョブの内容に応じた制御処理が実行されることになる。例えば、ジョブの内容がファクシミリ送信処理である場合、送信料金が発生するため、実行の適否を利用者に確認する必要性が高く、図６に示すように、第２制御処理（保留）が適している。また、ジョブの内容がカラー印刷または所定枚数以上の印刷である場合、コスト高であるため、実行の適否を利用者に確認する必要性が高く、図６に示すように、第２制御処理が適している。さらに、ジョブの内容が所定量以上のデータ量のイメージ送信である場合、データ量が多すぎて送信先の相手に迷惑をかける可能性があるため、実行の適否を利用者に確認する必要性があり、第２制御処理が適している。また、ジョブの内容が枚数少のモノクロ印刷である場合、コスト高ではないため実行の適否を利用者に確認する必要性が少ない点と、保留ジョブの蓄積をできるだけ抑制するという点とから、第１制御処理が適している。
【０１３３】
また、図７の手順によれば、予告部５９ｄは、Ｓ５６で第１制御処理が行われる予定の場合、表示されているプレビューに対応するジョブを実行することを利用者に予告し、Ｓ５６で第２制御処理が行われる予定の場合、表示されているプレビューに対応するジョブが保留状態にされることを利用者に予告していることになる（Ｓ５３）。それゆえ、利用者にとって不意にジョブが強制的に実行されることや、利用者にとって不意にジョブが強制的に保留状態にされてしまうことを抑制できるという効果を奏する。例えば、ジョブの保留を望まずに出力を望む利用者からすれば、出力コマンド入力を行うことでジョブが保留にされてしまわないようにできる。また、ジョブの出力を望まずに保留を望む利用者からすれば、保留コマンドを入力することでジョブが出力されてしまわないようにできる。また、何らかの操作を行うことにより（Ｓ４８にてＮＯ）、プレビューの表示を継続できる。
【０１３４】
また、本実施形態においても、予告部５９ｄによる予告は特に行われなくてもよい。この場合、図７において、Ｓ５３は使用されず、Ｓ５２の後はＳ５４に移行するように設定される。
【０１３５】
また、図７においては示されていないが、Ｓ４９が実行された後、および、Ｓ５６において第２制御処理が行われた後、図５のＳ３５およびＳ３６を実行するようにしてもよい。これにより、ジョブが保留状態にされるときは、そのことを示す電子メールを利用者に送信できる。
【０１３６】
なお、図７の処理内容が、ファクシミリ受信モードにおける出力処理（印刷）にも適用されるものであり、ファクシミリ送信モードおよびイメージ送信モードにおける出力処理（送信）にも適用されるものであることは、図３または図５の場合と同様である。
【０１３７】
また、実施の形態３は第１制御処理および第２制御処理のいずれを選択するのかをジョブの内容に応じて決定する形態であるが、このような形態に限定されるものではない。
【０１３８】
例えば、ジョブ制御部５９ｃは、Ｓ５２において、保留状態にされている全てのジョブのデータ量の累計である総データ量が所定量（例えば１６ギガバイト）以上であるか否かを判定し、前記総データ量が所定量以上であれば第１制御処理を選択し、前記総データ量が所定量未満であれば第２制御処理を選択するようになっていてもよい。この構成によれば、保留されているジョブが過剰になることによってコンピュータのリソースが無駄に消費されてしまうことを抑制できる。なお、保留状態のジョブのデータは記憶装置５４に保存されているため、ジョブ制御部５９ｃは記憶装置５４にアクセスすることによって前記総データ量を検知できる。
【０１３９】
また、ジョブ制御部５９ｃは、Ｓ５２において、記憶装置５４にて記憶されている保留ジョブ（保留状態のジョブ）の数が所定数（例えば１６）以上であるか否かを判定し、前記保留ジョブの数が所定数以上であれば第１制御処理を選択し、前記保留ジョブの数が所定数未満であれば第２制御処理を選択するようになっていてもよい。この構成によれば、保留されているジョブの数が過剰になることを抑制でき、利用者が所望の保留ジョブを検索する時の手間を抑制できるという効果を奏する。つまり、利用者が所望の保留ジョブを検索する際、保留ジョブの一覧リストを表示させて所望の保留ジョブを目視で検索するようなケースも想定されるが、保留されているジョブの数が過剰であれば、検索に手間がかかるため、保留されているジョブの数が過剰になることは好ましくない。
【０１４０】
以上にて説明した複合機５０において、利用者認証が不要な形態（例えば図３）しか実行しないような場合、リードライト部５８および認証部５９ｅは特に設けられていなくてもよい。また、以上にて説明した複合機５０では、ユーザＩＤは、リードライト部５８から入力されるようになっているが、操作パネル５７のキーボードから入力されるようになっていてもよい。
【０１４１】
また、コンピュータを実施の形態１〜３の制御装置５９の各部として機能させるプログラムを記録媒体に記録し、複合機５０を制御するコンピュータに前記プログラムを読み取らせることで実施の形態１〜３を実現することもできる。なお、記録媒体とは、コンピュータに処理を実行させるためのプログラムコード（実行形式プログラム、中間コードプログラム、ソースプログラム）を記録したコンピュータ読み取り可能な媒体であり、持ち運び自在なリムーバブル媒体である。但し、マイクロコンピュータに処理を行われるために図示していないメモリ、例えばＲＯＭのようなものそのものをプログラムメディアとしてもよいし、また、図示していないが外部記憶装置としてプログラム読み取り装置がプログラムメディアとして設けられ、そこに記録媒体を挿入することで読み取り可能になっている形態でもよい。
【０１４２】
いずれの場合においても、格納されているプログラムコードはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【０１４３】
また、上記記録媒体は、本体と分離可能に構成される記録媒体であってもよく、磁気テープやカセットテープ等のテープ系、フレキシブルディスクやハードディスク等の磁気ディスクやＣＤ−ＲＯＭ／ＭＯ／ＭＤ／ＤＶＤ等の光ディスクを含むディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等の半導体メモリ系を含めた固定的にプログラムコードを担持する媒体であっても良い。
【０１４４】
また、インターネットを含む通信ネットワークを接続可能なシステム構成である場合、通信ネットワークからプログラムコードをダウンロードするように流動的にプログラムコードを担持する媒体であっても良い。なお、このように通信ネットワークからプログラムコードをダウンロードする場合には、そのダウンロード用のプログラムは予め本体装置に格納しておくか、あるいは別な記録媒体からインストールされるものであっても良い。なお、本実施形態は、上記プログラムコードが電子的な伝送で具現化された、搬送波に埋め込まれたコンピュータデータ信号の形態でも実現され得る。上記記録媒体がデジタルカラー複合機・複写機やコンピュータシステムに備えられるプログラム読み取り装置により読み取られることで、制御装置５９の処理が実行される。
【０１４５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１４６】
なお、ジョブにおいて処理対象となる画像のプレビューを表示可能な複合機としては様々なものがあるが、以下の参考例に記載のものもジョブにおいて処理対象となる画像のプレビューを表示可能である。なお、以下の参考例では、複合機を画像形成装置と称する。
【０１４７】
〔参考例〕
つぎに、参考例について図に基づいて説明する。図８は、参考例の画像形成装置１００の概略構成を示すブロック図である。
【０１４８】
画像形成装置１００は、コピーモード・プリントモード・ファクシミリ送信モード・ファクシミリ受信モード・イメージ送信モードの中からいずれかのモードが選択されると、選択されたモードを実行するデジタルカラー複合機である。
【０１４９】
コピーモードとは、画像データを読み込み（原稿を読み取って画像データを生成し）、この画像データの画像を用紙に印刷するモードを意味する。また、プリントモードとは、画像形成装置に接続されている端末装置から送られてくる画像データの画像を用紙に印刷するモードを意味する。ファクシミリ送信モードとは、原稿を読み取って得られる画像データを電話回線によって外部装置に送信する通常のファクシミリモードと、前記画像データをメールに添付してインターネットによって送信するインターネットファクシミリモードとを意味する。ファクシミリ受信モードとは、外部装置から画像データをファクシミリにて受信し、受信した画像データの画像を用紙に印刷するモードを意味する。イメージ送信モードとは、（１）原稿を読み取って生成した画像データを電子メールに添付して指定されたアドレスへ送信するモード（scan to e-mailモード）、（２）原稿を読み取って生成した画像データをユーザにより指定されたフォルダに送信するモード（scan to ftpモード）、（３）原稿を読み取って生成した画像データを画像形成装置１００に装着されたＵＳＢメモリなどに送信するモード（scan to usbモード）を意味する。なお、本参考例においては、画像処理の動作上から、ファクシミリ送信モードとイメージ送信モードとを上記のように分類している。
【０１５０】
また、コピーモード・プリントモードが選択されている場合、利用者は、白黒画像を出力する白黒モード，フルカラーの画像を出力するフルカラーモード，利用者の所望する１色のみからなる単色画像を出力するシングルカラーモード，利用者の所望する１色と黒色とからなる２色画像を出力する２色カラーモードのいずれかを選択できるようになっている。
【０１５１】
例えば、コピーモードまたはプリントモードにおいて、利用者がシングルカラーモードを選択した場合、上記単色画像が印刷されることになる。また、コピーモードまたはプリントモードにおいて、利用者が２色カラーモードを選択した場合、上記２色画像の画像データが印刷される。なお、シングルカラーモードまたは２色カラーモードでは、利用者は、Ｒ（赤），Ｇ（緑），Ｂ（青），Ｃ（シアン），Ｍ（マゼンタ），Ｙ（イエロー）の中から所望の色を１つ選択することになる。
【０１５２】
また、本参考例では、コピーモードにおいて、自動判別モードを設定することが可能である。この自動判別モードが設定されている場合、画像形成装置１００は、複写対象がカラー原稿か白黒原稿であるかを判別する自動カラー判別処理（ＡＣＳ）を行い、カラー原稿と判別される場合は上記のフルカラーモードで出力処理を行い、白黒原稿と判別される場合は上記の白黒モードで出力処理を行うようになっている。
【０１５３】
画像形成装置１００は、図８に示されるように、画像入力装置１０１、画像処理装置１０２、プリント部１０３、画像表示装置１０４、受信装置１０５、送信装置１０６、記憶装置１０７、制御部１０８を有している。
【０１５４】
画像入力装置１０１は、コピーモード、ファクシミリ送信モード、イメージ送信モードにおいて、原稿を読み取り画像データを生成する画像読取手段である。より具体的に説明すると、画像入力装置１０１は、ＣＣＤ（Charge Coupled Device）を備えたスキャナ部を有し、原稿から反射してきた光を、ＲＧＢに色分解された電気信号（アナログの画像信号）に変換し、この電気信号を画像処理装置１０２に入力するものである。
【０１５５】
なお、画像入力装置１０１は、上記のフルカラーモード，シングルカラーモード，２色カラーモードのいずれのモードが選択されている場合であっても、フルカラーにて原稿画像の読み取りを行う。また、画像入力装置１０１は、画像処理装置１０２において前述した自動カラー判別処理が行われる場合であってもフルカラーにて原稿画像の読み取りを行う。
【０１５６】
画像処理装置１０２は、画像データ（画像信号）に対して画像処理を施す集積回路であり、ＡＳＩＣ（Application specific integrated circuit）から構成されるものである。この画像処理装置１０２は、図８に示すように、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２、色補正部１３、黒生成/下色除去部１４、空間フィルタ部１５、変倍部１６、出力階調補正部１７、中間調生成部１８の各ブロックを有している。画像処理装置１０２に含まれる各ブロックの処理内容については後で詳述する。
【０１５７】
なお、画像処理装置１０２は、コピーモード、ファクシミリ送信モード、イメージ送信モードにおいて、画像入力装置１０１から送られてきた画像データに画像処理を行い、プリントモードにおいて、端末装置から送信されてきた画像データに画像処理を行い、ファクシミリ受信モードにおいて、外部装置から受信した画像データに画像処理を行うようになっている。そして、画像処理装置１０２は、コピーモード、プリントモード、ファクシミリ受信モードにおいて、画像処理を施した画像データをプリント部１０３に送信し、ファクシミリ送信モードにおいて、画像処理を施した画像データを送信装置１０６に送信するようになっている。また、画像処理装置１０２は、イメージ送信モードのscan to e-mailモードにおいて、画像処理を施した画像データをメール処理部（不図示）に送信し、scan to ftpモードにおいて、画像処理を施した画像データを所定のフォルダに送信し、scan to usbモードにおいて、画像処理を施した画像データを所定のＵＳＢメモリに送信するようになっている。
【０１５８】
プリント部（プリンタ）１０３は、画像処理装置１０２から送られてきた画像データの画像を記録媒体（例えば紙等）上に印刷（形成）するものであり、例えば、電子写真方式またはインクジェット方式を用いたカラープリンタを挙げることができる。なお、本参考例においての「印刷」とは、プリントモードにおける印刷、コピーモードでの印刷、ファクシミリ受信モードでの印刷のいずれかを意味する。
【０１５９】
画像表示装置１０４は、画像形成装置１００の操作パネル（不図示）に備えられている液晶ディスプレイであり、カラー画像の表示が可能な表示手段である。また、画像表示装置１０４は、タッチパネルに覆われており、画像形成装置１００の入力インターフェイスとしての機能を有している。つまり、画像表示装置１０４には、画像形成装置１００に対して各種コマンドの入力を行うためのＧＵＩ（グラフィカルユーザインターフェイス）や操作ガイドが表示される。
【０１６０】
また、本参考例の画像形成装置１００では、コピーモードまたはファクシミリ受信モードにおいて、印刷実行前に、印刷対象となる画像のプレビューを画像表示装置１０４に表示することが可能になっている。さらに、本参考例の画像形成装置１００では、ファクシミリ送信モードまたはイメージ送信モードにおける送信実行前において、送信対象となる画像のプレビューを画像表示装置１０４に表示することが可能になっている。
【０１６１】
また、コピーモードまたはイメージ送信モードにおいて、フルカラーモードが選択されている場合はフルカラー画像のプレビューが表示され、シングルカラーモードが選択されている場合は単色画像のプレビューが表示され、２色カラーモードが選択されている場合は２色画像のプレビューが表示されるようになっている。
【０１６２】
なお、画像表示装置１０４は、液晶ディスプレイに限定されるものではなく、液晶ディスプレイ以外の表示手段（例えば、有機ＥＬディスプレイ、プラズマディスプレイ等）であってもよい。
【０１６３】
受信装置１０５は、電話回線またはインターネットに接続しており、ファクシミリ通信によって外部装置から画像データを受信する装置である。また、送信装置１０６は、電話回線またはインターネットに接続しており、画像入力装置１０１にて入力された画像データをファクシミリ通信によって外部装置へ送信する装置である。
【０１６４】
記憶装置１０７は、画像処理装置１０２にて扱われる画像データを一旦保存するためのハードディスクである。
【０１６５】
制御部１０８は、ＣＰＵ（Central Processing Unit）あるいはＤＳＰ（Digital Signal Processor）等のプロセッサを含むコンピュータであり、画像形成装置１００に備えられる各種ハードウェアを統括的に制御するものである。また、制御部１０８は、画像形成装置１００に備えられる各ハードウェア間のデータ転送を制御する機能も有する。
【０１６６】
つぎに、コピーモード、ファクシミリ送信モード、ファクシミリ受信モード、イメージ送信モードの各モードにおいて、画像処理装置１０２の各ブロックにて実行される処理の内容を詳細に説明する。なお、本参考例の画像処理装置１０２には、或るモードａが選択されている時は動作する一方で前記モードａとは異なるモードｂが選択されている時は動作しないようなブロックが存在する（モードａ、モードｂは、コピーモード、ファクシミリ送信モード、ファクシミリ受信モード、イメージ送信モードのいずれかである）。また、画像処理装置１０２には、選択されているモードに応じて処理内容を変更するブロックも存在する。さらに、画像処理装置１０２には、選択されているモードが同じであっても、印刷用（送信用）の画像データの処理時は動作する一方でプレビュー用の画像データの処理時は動作しないようなブロックや、印刷用（送信用）の画像データの処理時とプレビュー用の画像データの処理時とで処理内容を変更するブロックが存在する。そこで、以下では、画像処理装置１０２に含まれる各ブロックにて実行される処理の内容について、モード別に説明すると共に、印刷処理時（または送信処理時）とプレビュー表示時とで分けて説明する。
【０１６７】
（１）コピーモード
（１−１）印刷処理時
以下では、図８に基づいて画像処理装置１０２について説明するが、図８はコピーモード且つフルカラーモードにて印刷処理を行う際の画像処理装置１０２内の画像データの流れを示したものである事を述べておく。
【０１６８】
Ａ/Ｄ（アナログ・デジタル）変換部２は、画像入力装置１０１から送られてきたカラー画像信号（ＲＧＢアナログ信号）をデジタルの画像データ（ＲＧＢデジタル信号）に変換するブロックである。シェーディング補正部３は、Ａ/Ｄ変換部２から送られてきた画像データに対して、画像入力装置１０１の照明系、結像系、撮像系で生じる各種の歪みを取り除く処理を施すブロックである。入力処理部４は、シェーディング補正部３より送られてくるＲＧＢの画像データのそれぞれに対してγ補正処理などの階調変換処理を施すブロックである。
【０１６９】
原稿種別自動判別部５は、入力処理部４にてγ補正等の処理がなされたＲＧＢの画像データ（ＲＧＢの濃度信号）に基づき、画像入力装置１０１にて読み取られた原稿の種別の判定を行う。ここで、判定される原稿の種別としては、文字原稿、印刷写真原稿、文字と印刷写真とが混在した文字印刷写真原稿等がある。また、原稿種別自動判別部５は、上記画像データに基づき、読み取られた原稿がカラー原稿であるか白黒原稿であるのかの判別を行う処理である自動カラー判別処理（ＡＣＳ：Auto Color Selection）やブランク原稿であるか否か（無地の原稿であるか否か）の判定処理も行うことができる。なお、原稿種別自動判別部５から出力されるＲＧＢの画像データは、領域分離処理部６および圧縮部７に入力するようになっている。
【０１７０】
領域分離処理部６は、原稿種別自動判別部５から送られてくるＲＧＢの画像データに基づき、入力画像の画素毎に、当該画素がどのような画像領域に分類されるのかを判別し、この判別結果を示す領域分離信号を生成する処理を行う。ここで、領域分離処理部６において判別される画像領域には、黒文字領域，色文字領域，網点領域等がある。なお、領域分離処理は、画素毎に画像領域の判定を行う形態ではなく、複数の画素よりなるブロック毎に画像領域の判定が行われる形態であってもよい。
【０１７１】
圧縮部７は、原稿種別自動判別部５から送られてくる画像データ（ＲＧＢ信号）を符号化する処理を行うブロックである。なお、上記符号化は、例えばＪＰＥＧ(Joint Photographic Experts Group)方式に基づいて行われる。
【０１７２】
領域分離信号圧縮部８は、画素毎に生成された領域分離信号に対して圧縮処理を施すブロックである。なお、領域分離信号圧縮部８における圧縮処理は、例えば、可逆圧縮方法であるＭＭＲ（Modified Modified Reed）方式、ＭＲ（Modified Reed）方式に基づいて行われる。
【０１７３】
制御部１０８は、圧縮部７から出力された符号化コード（符号化された画像データ）と領域分離信号圧縮部８から出力された領域分離信号コード（圧縮された領域分離信号）とを一旦記憶装置１０７に保存し、ファイリングデータとして管理する。そして、制御部１０８は、コピー出力動作が指示された場合、記憶装置１０７から上記の符号化コードおよび当該符号化コードに対応する領域分離信号コードを読み出し、復号部９、領域分離信号復号部１０にそれぞれ引き渡す。
【０１７４】
なお、制御部１０８は、上記符号化コードの保存アドレスまたはデータ名と、領域分離信号コードの保存アドレスとを対応付けて管理テーブルに記入する。つまり、制御部１０８は、当該管理テーブルを用いて、符号化コードおよび領域分離信号コードの読み出しまたは書き込みの制御を行っている。
【０１７５】
復号部９は、上記符号化コードに対して復号化処理を施すことによって、上記符号化コードをＲＧＢの画像データに伸張する。また、領域分離信号復号部１０は、上記領域分離信号コードに対して復号化処理を施す。復号化した領域分離信号は、黒生成/下色除去部１４、空間フィルタ部１５、中間調生成部１８に引き渡される。そして、黒生成/下色除去部１４、空間フィルタ部１５、中間調生成部１８においては、画像領域の種類に応じて画像処理内容の切替えが行われる。
【０１７６】
画質調整部１１は、復号部９から送られてくるＲＧＢの画像データについて、下地の検出を行って下地除去補正を行う。さらに、画質調整部１１は、ユーザによって操作パネル（不図示）から入力される設定情報に基づいて、ＲＧＢのバランス（カラー調整、赤み青みといった全体のカラー調整）、明るさ、鮮やかさの調整を行う。
【０１７７】
さらに、画質調整部１１は、シングルカラーモードが選択されている場合、ＲＧＢの画像データを、ＲＧＢの補色となるＣＭＹの画像データに変換する処理を行う。ここで、シングルカラーモードにおいてのＲＧＢの画像データからＣＭＹの画像データへの変換処理は、下記の式１を用いることによって実行される。なお、式１における係数ｒ１〜ｒ３は〔表１〕に基づいて定められる。例えば、利用者がシングルカラーモードにおいて所望の色としてシアンを選択している場合、〔表１〕の「Ｃｙａｎ」の欄に属するｒ１〜ｒ３の値が参照され、ｒ１＝１，ｒ２＝０，ｒ３＝０が選択されることになる。
【０１７８】
【数１】
2010199858.tif 000003
【０１７９】
【表１】
2010199858.tif 000004
【０１８０】
つまり、フルカラーモードの場合の画質調整部１１からの出力は、図８に示されるように、ＲＧＢの画像データとなるところ、シングルカラーモードが選択されている場合の画質調整部１１からの出力は、図９（ａ）に示されるように、ＣＭＹの画像データとなる。なお、２色カラーモードが選択されている場合の画質調整部１１からの出力は、図９（ｂ）に示されるように、ＲＧＢの画像データとなる。なお、図９（ａ）は、コピーモード且つシングルカラーモードにて印刷処理が行われる際の画像処理装置１０２の一部のブロックを示したものであり、図９（ｂ）は、コピーモード且つ２色カラーモードにて印刷処理が行われる際の画像処理装置１０２の一部のブロックを示したものである。
【０１８１】
また、画質調整部１１にて実行される鮮やかさの調整は、式１のマトリクスのｒ１〜ｒ３およびａ１〜ａ３の各値を変更した上で当該マトリクスを用いることによって実現可能である。それゆえ、上記の鮮やかさの調整と、シングルカラーモードにおける画像データの変換処理（ＲＧＢからＣＭＹへの変換）とについては、マトリクスを共用でき、画像処理回路を共用できる。よって、本参考例では、上記の鮮やかさの調整と、シングルカラーモードにおける画像データの変換処理とが、同じ処理部（画質調整部１１）で行われるのである。
【０１８２】
２色化処理部１２は、２色カラーモードが選択されている場合、図９（ｂ）に示すように、画質調整部１１から出力されたＲＧＢの画像データをＣＭＹの画像データに変換する処理を行うブロックである。なお、２色カラーモードにおいてのＲＧＢの画像データからＣＭＹの画像データへの変換処理は、例えば、特開２００７−２８３３６号公報に記載されている〔実施例１〕または〔実施例２〕の手法にて実現できる。
【０１８３】
また、２色化処理部１２は、フルカラーモードが選択されている場合、図８に示されるように、画質調整部１１から出力されたＲＧＢの画像データに対して何も処理を行わず、当該画像データをそのまま色補正部１３へ引き渡す（スルーする）。さらに、２色化処理部１２は、シングルカラーモードが選択されている場合、図９（ａ）に示すように、画質調整部１１から出力されたＣＭＹの画像データに対して何も処理を行わず、当該画像データをそのまま色補正部１３へ引き渡す（スルーする）。
【０１８４】
色補正部１３は、フルカラーモードが選択されている場合、２色化処理部１２から出力されるＲＧＢの画像データをＣＭＹの画像データに変換する色補正処理を行うと共に、当該画像データに対して色再現性を高める処理を施すブロックである。なお、上記の色補正処理は、入力値（ＲＧＢ）と出力値（ＣＭＹ）とを対応付けたＬＵＴ（ルックアップテーブル）を作成し、作成したＬＵＴから出力値をルックアップすることによって実現される。
【０１８５】
また、色補正部１３は、シングルカラーモードまたは２色カラーモードが選択されている場合、図９（ａ）（ｂ）に示されるように、２色化処理部１２から出力されたＣＭＹの画像データに対して何も処理を行わず、当該画像データをそのまま黒生成/下色除去部１４へ引き渡す（スルーする）。
【０１８６】
黒生成/下色除去部１４は、フルカラーモードまたは２色カラーモードが選択されている場合、色補正部１３から出力されたＣＭＹの画像データから黒（Ｋ）の画像データを生成する黒生成を行う一方、元のＣＭＹの画像データから黒（Ｋ）の画像データを差し引いて新たなＣＭＹの画像データを生成する処理を行うブロックである。これにより、フルカラーモードまたは２色カラーモードが選択されている場合、図８および図９（ｂ）に示されるように、ＣＭＹの画像データは黒生成/下色除去部１４によってＣＭＹＫの４色の画像データに変換される。
【０１８７】
また、黒生成/下色除去部１４は、シングルカラーモードが選択されている場合、図９（ａ）に示されるように、色補正部１３から出力されたＣＭＹの画像データに対して何も処理を行わず、当該画像データをそのまま後段の空間フィルタ部１５へ引き渡す（スルーする）。
【０１８８】
なお、フルカラーモードまたは２色カラーモードが選択されている場合、黒生成/下色除去部１４の出力、および、黒生成/下色除去部１４よりも後段の各ブロックの入出力は、図８のように、ＣＭＹＫの画像データとなる。しかし、シングルカラーモードが選択されている場合、黒生成/下色除去部１４の出力、および、黒生成/下色除去部１４よりも後段の各ブロックの入出力は、図８とは異なり、ＣＭＹの画像データとなる。
【０１８９】
空間フィルタ部１５は、黒生成/下色除去部１４より出力されるＣＭＹＫまたはＣＭＹの画像データに対して、領域分離信号（領域識別信号）を基にデジタルフィルタによる空間フィルタ処理（強調処理、平滑化処理等）を行っている。つまり、空間フィルタ部１５では、領域分離信号に基づいて、画像領域毎に異なる画像処理が実行される。
【０１９０】
変倍部１６は、操作パネル（不図示）を介して利用者によって入力される変倍コマンド（印刷画像の倍率を示した情報）に基づいて、画像の拡大や縮小処理を行うブロックである。
【０１９１】
出力階調補正部１７は、変倍部１６から出力された画像データに対して、用紙等の記録媒体に出力するための出力γ補正処理を行うブロックである。中間調生成部１８は、誤差拡散法やディザ法を用いて、プリント部１０３において画像を印刷するために必要な階調再現処理（中間調生成処理）を実行するものである。
【０１９２】
そして、中間調生成部１８から出力されるＣＭＹＫまたはＣＭＹの画像データはプリント部１０３に引き渡され、プリント部１０３は、当該画像データの画像を記録媒体（例えば紙等）上に印刷する。
【０１９３】
（１−２）プレビュー表示時
つぎに、コピーモードにて印刷対象画像のプレビューを表示する場合に画像処理装置１０２の各ブロックにて実行される処理の内容を図１０に基づいて説明する。図１０は、図８の画像形成装置１００と同じ画像形成装置１００を示すブロック図であり、コピーモード且つフルカラーモードにてプレビュー表示を行う際の画像データの流れを示した図である。
【０１９４】
なお、Ａ/Ｄ変換部２、シェーディング補正部３、入力処理部４、原稿種別自動判別部５、領域分離処理部６、圧縮部７、領域分離信号圧縮部８、復号部９、画質調整部１１、２色化処理部１２の処理については、印刷処理時と同じであるため、以下ではその説明を省略する。
【０１９５】
領域分離信号復号部１０は、図１０に示すように、プレビュー表示時において、復号化した領域分離信号を空間フィルタ部１５および出力階調補正部１７に引き渡す。
【０１９６】
色補正部１３は、フルカラーモードにおいて、ＲＧＢの画像データを入力する。なお、ＲＧＢの画像データは、スキャナ（画像入力装置１０１）の色空間に適合しているデータである。そして、色補正部１３は、このＲＧＢの画像データを画像表示装置１０４の色空間に適合するＲ’Ｇ’Ｂ’の画像データへ変換する処理を行う。
【０１９７】
つまり、色補正部１３は、スキャナの画像読取特性に適合したＲＧＢの画像データを表示装置の表示特性に適合したＲ’Ｇ’Ｂ’の画像データに変換する処理を行っているのである。なお、ＲＧＢの画像データをＲ’Ｇ’Ｂ’の画像データに変換する処理も、入力値（ＲＧＢ）と出力値（Ｒ’Ｇ’Ｂ’）とを対応付けたＬＵＴを作成し、作成したＬＵＴから出力値をルックアップすることによって実現される。
【０１９８】
そして、本参考例では、フルカラーモードにおいて、印刷処理時のＲＧＢの画像データからＣＭＹＫの画像データへの変換処理と、プレビュー表示時のＲＧＢの画像データからＲ’Ｇ’Ｂ’ の画像データへの変換処理とについて、画像処理回路を共用している。
【０１９９】
ここで、図１０は、図８と同様、フルカラーモードが選択されている場合の画像形成装置１００を示したものであり、色補正部１３は、フルカラーモードにおいて、ＲＧＢの画像データを入力するようになっている。しかし、シングルカラーモードまたは２色カラーモードでは、図１１（ａ）（ｂ）に示すように、色補正部１３はＣＭＹの画像データを入力するようになっている。なお、図１１（ａ）は、コピーモード且つシングルカラーモードにてプレビュー表示処理が行われる際の画像処理装置１０２の一部のブロックを示したものであり、図１１（ｂ）は、コピーモード且つ２色カラーモードにてプレビュー表示処理が行われる際の画像処理装置１０２の一部のブロックを示したものである。
【０２００】
そして、色補正部１３は、シングルカラーモードまたは２色カラーモードでは、ＣＭＹの画像データをＲ’Ｇ’Ｂ’の画像データに変換する処理を行う。つまり、色補正部１３は、印刷処理の印刷特性に適合したＣＭＹの画像データを表示装置の表示特性に適合したＲ’Ｇ’Ｂ’の画像データに変換する処理を行っているのである。なお、ＣＭＹの画像データをＲ’Ｇ’Ｂ’の画像データに変換する処理も、入力値（ＣＭＹ）と出力値（Ｒ’Ｇ’Ｂ’）とを対応付けたＬＵＴを作成し、作成したＬＵＴから出力値をルックアップすることによって実現される。
【０２０１】
黒生成/下色除去部１４は、図１０および図１１に示すように、シングルカラーモード，２色カラーモード，フルカラーモードのいずれのモードであっても、色補正部１３から出力されたＲ’Ｇ’Ｂ’の画像データに対して何も処理を行わず、当該画像データをそのまま後段の空間フィルタ部１５へ引き渡す（スルーする）。
【０２０２】
空間フィルタ部１５は、黒生成/下色除去部１４より出力されたＲ’Ｇ’Ｂ’の画像データに対して、領域分離信号を基にデジタルフィルタによる空間フィルタ処理（強調処理、平滑化処理等）を行っている。つまり、空間フィルタ部１５では、印刷処理時と同様、領域分離信号に基づいて、画像領域毎に異なる画像処理が実行される。
【０２０３】
変倍部１６は、空間フィルタ部１５から出力されたＲ’Ｇ’Ｂ’の画像データからなる画像の画素数を画像表示装置１０４の画素数に変換する間引き処理（画素数を減少する処理）を行う。画像形成装置１００の操作パネルに備えられる画像表示装置１０４は、印刷を行う画像データの解像度と比較すると低解像度であり、通常、極めて小型のディスプレイである。それゆえ、プレビュー表示時においては、画像データを間引く必要がある。また、変倍部１６では、画像形成装置１００に備えられる操作パネル（不図示）より入力される変倍コマンド（表示倍率を示す情報、例えば２〜４倍等の固定倍率）に基づいて画像の拡大や縮小処理がなされる。
【０２０４】
出力階調補正部１７は、変倍部１６から出力されてきた画像データに対して、領域分離信号を基に出力γ補正処理を行っている。より具体的に説明すると、出力階調補正部１７は、領域分離信号を基に、画像領域に応じて異なるガンマ曲線を選択し、画像領域毎に出力γ補正処理の内容を異ならせている。例えば、文字以外の領域に対しては、画像表示装置１０４の表示特性に応じたガンマ曲線が選択され、文字領域に対しては、文字をくっきりと表示させるためのガンマ曲線が選択される。ここで、図１２（ａ）は、画像表示装置１０４の表示特性に応じたガンマ曲線である。また、図１２（ｂ）の実線で示される曲線は文字をくっきりと表示させるためのガンマ曲線である。なお、図１２（ｂ）の破線は、画像表示装置１０４の表示特性に応じたガンマ曲線であり、文字をくっきりと表示させるためのガンマ曲線と比較するために図示したものである。
【０２０５】
なお、本参考例では、出力階調補正部１７は、領域分離信号に基づいてガンマ曲線の選択を行っているが、領域分離信号による選択を行わないで図１２（ａ）のガンマ曲線のみを用いて出力階調補正を行うようにしても良い。
【０２０６】
そして、中間調生成部１８は、出力階調補正部１７から出力されたＲ’Ｇ’Ｂ’の画像データに対して何も処理を行わず、当該画像データをそのまま後段の画像表示装置１０４へ引き渡す（スルーする）。これにより、画像表示装置１０４は、Ｒ’Ｇ’Ｂ’の画像データに基づいて、コピー対象となる画像のプレビューを表示できる。
【０２０７】
なお、出力階調補正部１７において実行されている出力γ補正処理は、画質調整部１１にて実行されてもよい。
【０２０８】
（１−３）各ブロックの動作/非動作について
以上のように、フルカラーモードの印刷時では、画質調整部１１〜中間調生成部１８のうち、２色化処理部１２は動作しないが、それ以外のブロックは全て動作することになる（図８参照）。これに対し、フルカラーモードのプレビュー表示時では、画質調整部１１〜中間調生成部１８のうち、２色化処理部１２と黒生成/下色除去部１４と中間調生成部１８とは動作しないが、それ以外のブロックは全て動作することになる（図１０参照）。
【０２０９】
また、２色カラーモードの印刷時では、画質調整部１１〜中間調生成部１８のうち、色補正部１３は動作しないが、それ以外のブロックは全て動作することになる（図９（ｂ）参照）。これに対し、２色カラーモードのプレビュー表示時では、画質調整部１１〜中間調生成部１８のうち、黒生成/下色除去部１４と中間調生成部１８とが動作しないが、それ以外のブロックは全て動作することになる（図１１（ｂ）参照）。
【０２１０】
さらに、シングルカラーモードの印刷時では、画質調整部１１〜中間調生成部１８のうち、２色化処理部１２と色補正部１３と黒生成/下色除去部１４とが動作しないが、それ以外のブロックは全て動作することになる（図９（ａ）参照）。これに対し、シングルカラーモードのプレビュー表示時では、画質調整部１１〜中間調生成部１８のうち、２色化処理部１２と黒生成/下色除去部１４と中間調生成部１８とが動作しないが、それ以外のブロックは全て動作することになる（図１１（ａ）参照）。
【０２１１】
（１−４）処理手順について
つぎに、コピーモード且つフルカラーモードが選択されている場合の処理手順の一例を図１３に基づいて説明する。図１３は、コピーモード且つフルカラーモードが選択されている場合の画像形成装置の処理手順の一例を示したフローチャートである。
【０２１２】
画像形成装置１００は、コピーモードが選択され、スタートキーが押されると（Ｓ１０１にてＹＥＳ）、原稿をスキャンすることによって（Ｓ１０２）、ＲＧＢのアナログ信号を生成する。なお、Ｓ１０１のスタートキーを押す前において、利用者は、プレビュー表示の要否を示す設定情報を入力することにより、画像形成装置１００に対してプレビュー表示の有無を設定しているものとする。
【０２１３】
Ｓ１０２の後、画像形成装置１００は、ＲＧＢのアナログ信号をＲＧＢの画像データ（デジタルデータ）に変換し（Ｓ１０３）、上記画像データに対してシェーディング補正を施し（Ｓ１０４）、シェーディング補正後のＲＧＢの画像データに対して入力γ補正処理を施す（Ｓ１０５）。Ｓ１０５の後、画像形成装置１００は、ＲＧＢの画像データに基づいて原稿種別判定処理および領域分離処理を行い（Ｓ１０６）、さらに、ＲＧＢの画像データを記憶装置１０７に保存する（Ｓ１０７）。
【０２１４】
Ｓ１０７の後、画像形成装置１００は、「プレビュー表示有」が設定されているか否かを判定し（Ｓ１０８）、「プレビュー表示有り」が設定されていない場合はＳ１０９〜Ｓ１１６を実行し、「プレビュー表示有」が設定されている場合はＳ１１７〜Ｓ１２３を実行することになる。以下では、まずＳ１０９〜Ｓ１１６について説明し、その後、Ｓ１１７〜Ｓ１２３について説明する。
【０２１５】
「プレビュー表示有」が設定されていない場合（Ｓ１０８においてＮＯ）、画像形成装置１００は、ＲＧＢの画像データを記憶装置１０７から読み出し、下地除去補正や鮮やかさの調整等の画質調整処理を行う（Ｓ１０９）。その後、画像形成装置１００は、スキャナの特性に応じたＲＧＢの画像データを、プリンタの特性に応じたＣＭＹの画像データに変換し（Ｓ１１０）、さらに、ＣＭＹの画像データをＣＭＹＫの画像データに変換する（Ｓ１１１）。その後、画像形成装置１００は、領域分離処理の結果を基にＣＭＹＫの画像データに対して空間フィルタ処理を行い（Ｓ１１２）、空間フィルタ処理後のＣＭＹＫの画像データに対して変倍処理を施す（Ｓ１１３）。Ｓ１１３の後、画像形成装置１００は、ＣＭＹＫの画像データに対して出力γ補正処理および階調再現処理を行い（Ｓ１１４，Ｓ１１５）、当該画像データの画像を用紙に印刷し（Ｓ１１６）、処理を終了する。
【０２１６】
Ｓ１０８において「プレビュー表示有」が設定されていると判定された場合（Ｓ１０８においてＹＥＳ）、画像形成装置１００は、ＲＧＢの画像データを記憶装置１０７から読み出し、Ｓ１０９の画質調整処理と同じ画質調整処理を行う（Ｓ１１７）。その後、画像形成装置１００は、スキャナの特性に応じたＲＧＢの画像データを、表示装置の特性に応じたＲ’Ｇ’Ｂ’の画像データに変換する（Ｓ１１８）。Ｓ１１８の後、画像形成装置１００は、領域分離処理の結果を基にＲ’Ｇ’Ｂ’の画像データに対して空間フィルタ処理を行い（Ｓ１１９）、Ｒ’Ｇ’Ｂ’の画像データがディスプレイの解像度およびサイズに適合するものになるように当該Ｒ’Ｇ’Ｂ’の画像データに対して間引き処理を行う（Ｓ１２０）。Ｓ１２０の後、画像形成装置１００は、領域分離処理の結果を基に、Ｒ’Ｇ’Ｂ’の画像データに対して出力γ補正処理を行う（Ｓ１２１）。Ｓ１２１の後、画像形成装置１００は、Ｒ’Ｇ’Ｂ’の画像データに基づいてプレビュー表示を行う（Ｓ１２２）。そして、Ｓ１２２の後、プリント許可を示すコマンドが利用者から入力されると（Ｓ１２３にてＹＥＳ）、画像形成装置１００は、記憶装置１０７に記憶されているＲＧＢの画像データを再度読み出し、この画像データに基づいてＳ１１９〜Ｓ１１６の処理を実行して印刷を行う。これに対し、Ｓ１２２の後、プリント取消を示すコマンドが利用者から入力されると（Ｓ１２３にてＮＯ）、画像形成装置１００は処理を終了する。
【０２１７】
（２）ファクシミリ送信モード
（２−１）送信処理時
図１４は、図８の画像形成装置１００と同じ画像形成装置１００を示すブロック図であり、ファクシミリ送信モードにて送信処理を行う際の画像データの流れを示した図である。なお、Ａ/Ｄ変換部２、シェーディング補正部３、入力処理部４、原稿種別自動判別部５、領域分離処理部６、圧縮部７、領域分離信号圧縮部８、復号部９の処理については、コピーモードの場合と同じであるため、以下ではその説明を省略する。
【０２１８】
領域分離信号復号部１０は、ファクシミリ送信モードでは、記憶装置１０７から領域分離信号コードを読み出して復号化し、復号化した領域分離信号を空間フィルタ部１５へ送信する。
【０２１９】
画質調整部１１は、復号部９から出力されたＲＧＢの画像データをＫの画像データ（グレーの濃淡を示す値）に変換する。なお、この変換は、所定のマトリクス係数や下記の式２を用いることによって行われる。
輝度値（Ｋの画像データの値）＝０．２９９ｒ＋０．５８７ｇ＋０．１１４ｂ    式２
ｒは赤の画像データの値（濃度値）であり、ｇは緑の画像データの値であり、ｂは青の画像データの値である。
【０２２０】
２色化処理部１２、色補正部１３、黒生成/下色除去部１４は、画質調整部１１から出力されたＫの画像データ（信号）に対して何も処理を行わず、このＫの画像データをそのまま後段の空間フィルタ部１５へ引き渡す（スルーする）。
【０２２１】
空間フィルタ部１５は、Ｋの画像データに対して、領域分離信号を基にデジタルフィルタによる空間フィルタ処理（強調処理，平滑化処理等）を行っている。変倍部１６は、送信解像度に応じてＫの画像データに対して変倍処理を行う。出力階調補正部１７は、変倍部１６から出力されたＫの画像データに対して出力γ補正処理（用紙等の記録媒体に出力するためのγ補正）を行う。中間調生成部１８は、例えば誤差拡散法によって、Ｋの画像データを２値化画像データに変換する。そして、２値化画像データは、不図示の回転処理部によって必要に応じて回転処理がなされ、不図示の圧縮／伸張処理部によって所定の形式で圧縮されて、不図示のメモリに格納される。
【０２２２】
その後、送信装置（例えば、モデム）１０６は、相手先との送信手続きを行い送信可能な状態を確保すると、上記メモリに格納されている２値化画像データを所定の形式で圧縮された状態で読み出し、圧縮形式の変更など必要な処理を施し、通信回線を介して当該２値化画像データを相手先に順次送信する。
【０２２３】
（２−２）プレビュー表示時
図１５は、図１の画像形成装置１００と同じ画像形成装置１００を示すブロック図であり、ファクシミリ送信モードにてプレビュー表示処理を行う際の画像データの流れを示した図である。なお、ファクシミリ送信モードにおけるプレビュー表示とは、ファクシミリ送信前において当該ファクシミリ送信する画像のプレビュー表示を行う処理を意味する。
【０２２４】
プレビュー表示時において、Ａ/Ｄ変換部２、シェーディング補正部３、入力処理部４、原稿種別自動判別部５、領域分離処理部６、圧縮部７、領域分離信号圧縮部８、復号部９、領域分離信号復号部１０、画質調整部１１、空間フィルタ部１５の処理は、ファクシミリの送信処理時と同じであるため、その説明を省略する。また、２色化処理部１２、色補正部１３、黒生成/下色除去部１４での処理は、ファクシミリの送信処理時と同じように、スルーされる。
【０２２５】
但し、プレビュー表示時においては、送信処理時と異なり、図１５に示すように、画質調整部１１から画像表示装置１０４に渡って各画素においてＫの画像データを３つ送信するようにしている（全て同一値）。これは、フルカラー仕様である画像表示装置１０４が１画素に対して３つの値（画像データ）を必要とするからである。
【０２２６】
変倍部１６は、空間フィルタ部１５から出力されたＫの画像データからなる画像の画素数が画像表示装置１０４の表示サイズの画素数に適合するように、Ｋの画像データに対して間引き処理を行う。また、変倍部１６では、画像形成装置１００に備えられる操作パネル（不図示）より入力される変倍コマンド（表示倍率を示す情報、例えば２〜４倍等の固定倍率）に基づいて画像の拡大や縮小処理がなされる。
【０２２７】
出力階調補正部１７は、変倍部１６から出力されたＫの画像データに対して、画像表示装置１０４の表示特性に応じたγ補正を行う。そして、中間調生成部１８は、出力階調補正部１７から出力されたＫの画像データに対して何も処理を行わず、当該Ｋの画像データをそのまま後段の画像表示装置１０４へ引き渡す（スルーする）。これにより、画像表示装置１０４は、Ｋの画像データに基づいて、ファックス送信の対象となる画像のプレビューを表示できる。
【０２２８】
また、ファクシミリ送信モードのプレビュー表示処理時では、画質調整部１１において、ＲＧＢの画像データが３つのＫの画像データに変換される形態となっている。しかし、このような形態に限定されるものではなく、例えば、出力階調補正部１７まではＲＧＢの画像データをＫの画像データに変換することなく画像処理を行い、出力階調補正部１７から出力されたＲＧＢの画像データをブラウザによってＫの画像データに変換するような形態であってもよい。
【０２２９】
（２−３）各ブロックの動作/非動作について
以上のように、ファクシミリ送信モードの送信処理時では、画質調整部１１〜中間調生成部１８のうち、２色化処理部１２、色補正部１３、黒生成/下色除去部１４は動作しないが、それ以外のブロックは全て動作することになる（図１４参照）。これに対し、ファクシミリ送信モードのプレビュー表示時では、画質調整部１１〜中間調生成部１８のうち、２色化処理部１２、色補正部１３、黒生成/下色除去部１４、中間調生成部１８は動作しないが、それ以外のブロックは全て動作することになる（図１５参照）。
【０２３０】
（２−４）処理手順
つぎに、ファクシミリ送信モードにおける処理手順の一例を説明する。画像形成装置１００において「プレビュー表示有り」の設定がされていない状態で、利用者によってファックス送信コマンドが入力された場合、図１４に示されるように画像データが処理され、当該画像データが外部装置へ送信されることになる。
【０２３１】
これに対し、画像形成装置１００において「プレビュー表示有り」の設定がされている状態で、利用者によってファックス送信コマンドが入力された場合、図１５に示されるように画像データが処理されることによって、当該画像データが記憶装置１０７に保存され、且つ、当該画像データの画像のプレビューが画像表示装置１０４に表示される。そして、プレビューが表示されている状態において送信許可を示すコマンドが利用者から入力されると、記憶装置１０７の画像データが読み出され、読み出された画像データは図１４に示されるように復号部９〜中間調生成部１８によって処理され、送信装置１０６によって外部装置に送信される。
【０２３２】
（３）ファクシミリ受信モード
（３−１）印刷処理時
図１６は、図８の画像形成装置１００と同じ画像形成装置１００を示すブロック図であり、ファクシミリ受信モードにて印刷処理を行う際の画像データの流れを示した図である。
【０２３３】
ファクシミリを受信する場合、受信装置１０５が、通信手続きを行いながら相手先から送信されてくるＫの画像データ（１ビット）を受信する。そして、受信装置１０５にて受信されたＫの画像データは、圧縮/伸張処理部（不図示）にて伸張処理が施され、回転処
理部（不図示）にて必要に応じて回転処理が施され、解像度変換部（不図示）にて必要に応じて解像度変換処理が行なわれる。その後、当該画像データは、一旦、記憶装置１０７に保存される。
【０２３４】
さらに、記憶装置１０７に書き込まれた画像データは、制御部１０８によって画像処理装置１０２の復号部９に引き渡される。復号部９、画質調整部１１、２色化処理部１２、色補正部１３、黒生成/下色除去部１４、空間フィルタ部１５、変倍部１６、出力階調補正部１７および中間調生成部１８は、記憶装置１０７から送られてきた画像データに対して何も処理を行わず、当該画像データをそのまま後段のプリント部１０３へ引き渡す（スルーする）。プリント部１０３は、中間調生成部１８より送られてきたＫの画像データに基づいて記録媒体（例えば紙等）上に画像を形成する。なお、ファクシミリ受信モードにて印刷処理を行う場合、上記のように画像処理を行わないので、記憶装置１０７に格納されている画像データを直接プリント部１０３に出力するようにしても良い。
【０２３５】
（３−２）プレビュー表示時
図１７は、図８の画像形成装置１００と同じ画像形成装置１００を示すブロック図であり、ファクシミリ受信モードにてプレビュー表示処理を行う際の画像データの流れを示した図である。なお、ファクシミリ受信モードにおけるプレビュー表示とは、ファクシミリにて画像データを受信した場合、当該画像データの画像を印刷する前に印刷される画像のプレビュー表示を行う処理を意味する。
【０２３６】
ファクシミリ受信モードにおけるプレビュー表示時においても、ファクシミリ受信モードにおける印刷処理時と同様、記憶装置１０７に書き込まれた画像データは、制御部１０８によって画像処理装置１０２の復号部９に引き渡される。復号部９は、記憶装置１０７から送られてきた画像データに対して何も処理を行わず、不図示のビット数変換処理部に当該画像データを引き渡す（スルーする）。そして、ビット数変換処理部は、復号部９から受け取った画像データのビット数を変換し（例えば１ビットから８ビットへ変換）、ビット数変換された画像データを後段の画質調整部１１へ引き渡す。つまり、図示はしていないものの、図１７において復号部９と画質調整部１１との間にビット数変換処理部が備えられていることになる。
【０２３７】
画質調整部１１は、図１７に示すように、画素毎に、１つのＫの画像データを入力すると、このＫの画像データを３つ生成して出力している（全て同一値）。これは、フルカラー仕様である画像表示装置１０４が１画素に対して３つの値を必要とするからである。
【０２３８】
その後、２色化処理部１２、色補正部１３、黒生成/下色除去部１４は、画質調整部１１から送られてきたＫの画像データに対して何も処理を行わず、当該画像データをそのまま後段の空間フィルタ部１５へ引き渡す（スルーする）。空間フィルタ部１５は、Ｋの画像データに対してデジタルフィルタを用いてぼかし処理等を行う。
【０２３９】
変倍部１６は、空間フィルタ部１５から出力されたＫの画像データからなる画像の画素数が画像表示装置１０４の表示サイズの画素数に適合するように、Ｋの画像データに対して間引き処理を行う。また、変倍部１６では、画像形成装置１００に備えられる操作パネル（不図示）より入力される変倍コマンド（表示倍率を示す情報、例えば２〜４倍等の固定倍率）に基づいて画像の拡大や縮小処理がなされる。
【０２４０】
出力階調補正部１７は、変倍部１６から出力されたＫの画像データに対して、画像表示装置１０４の表示特性に応じた出力γ補正処理を行う。そして、中間調生成部１８は、出力階調補正部１７から出力されたＫの画像データに対して何も処理を行わず、当該画像データをそのまま後段の画像表示装置１０４へ引き渡す（スルーする）。これにより、画像表示装置１０４は、Ｋの画像データに基づいて、ファックス受信された画像のプレビューを表示できる。
【０２４１】
（３−３）各ブロックの動作/非動作について
以上のように、ファクシミリ受信モードの印刷処理時では、画質調整部１１〜中間調生成部１８は動作しない（図１６参照）。これに対し、ファクシミリ受信モードのプレビュー表示時では、画質調整部１１〜中間調生成部１８のうち、２色化処理部１２、色補正部１３、黒生成/下色除去部１４、中間調生成部１８は動作しないが、それ以外のブロックは全て動作することになる（図１７参照）。
【０２４２】
（３−４）処理手順
つぎに、ファクシミリ受信モードの処理手順の一例を説明する。画像形成装置１００においてファクシミリによって画像データが受信された場合、受信された画像データは一旦記憶装置１０７に書き込まれる。ここで、画像データが記憶装置１０７に書き込まれてから画像の印刷が行われるまでにはタイムラグがあるが、このタイムラグ中に利用者から「プレビューコマンド」が入力された場合、上記画像データは図１７に示されるような流れで処理され、当該画像データの画像のプレビューが画像表示装置１０４に表示される。また、画像の印刷が行われる際は、図１６に示されるような流れで処理され、当該画像データの画像がプリント部１０３にて印刷されることになる。
【０２４３】
（４）イメージ送信モード
（４−１）送信処理時
イメージ送信モードの送信処理時にて画像形成装置１００を動作させる場合、画像入力装置１０１、Ａ/Ｄ変換部２、シェーディング補正部３、入力処理部４、原稿種別自動判別部５、領域分離処理部６、圧縮部７、領域分離信号圧縮部８、復号部９の処理内容は、コピーモードの場合と同じである。なお、領域分離信号復号部１０は空間フィルタ部１５および出力階調補正部１７に対して領域分離信号を供給している。
【０２４４】
そして、画質調整部１１にて下色除去やカラーバランス調整が行われ、色補正部１３において、一般に普及している表示装置の表示特性に適合したＲ”Ｇ”Ｂ”の画像データ（例えば、ｓＲＧＢデータ）に変換され、空間フィルタ部１５にて領域分離信号を基にデジタルフィルタによる空間フィルタ処理（強調処理，平滑化処理）が行われている。変倍部１６にて画像の拡大や縮小処理が行われる。また、出力階調補正部１７では、例えば、文字領域に対しては図１２（ｂ）のガンマ曲線を用いた補正が行われ、文字以外の領域に対しては図１２（ａ）のガンマ曲線を用いた補正が行われる。なお、２色化処理部１２、黒生成/下色除去部１４は、入力される画像データに対して処理を行わず、この画像データをそのまま後段のブロックにスルーする。したがって、出力階調補正部１７から出力されるのはＲ”Ｇ”Ｂ”の画像データである。
【０２４５】
さらに、出力階調補正部１７から出力されるＲ”Ｇ”Ｂ”の画像データは、図示しないフォーマット変換処理部にてＰＤＦファイル等の画像ファイルに変換される。そして、イメージ送信モードのscan to e-mailモードにおいて、当該画像ファイルは図示しないメール処理部（ジョブ装置）にて電子メールに添付され、当該電子メールがネットワークを介して相手先に送信されることになる。また、イメージ送信モードのscan to ftpモードにおいて当該画像ファイルは所定のフォルダに送信され、イメージ送信モードのscan to usbモードにおいて当該画像ファイルは所定のＵＳＢメモリに送信される。
【０２４６】
（４−２）プレビュー表示時
イメージ送信モードのプレビュー表示時にて画像形成装置１００を動作させる場合、画像入力装置１０１、Ａ/Ｄ変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２の処理内容は、イメージ送信モードの送信時と共通である。
【０２４７】
そして、イメージ送信モードのプレビュー表示時において、色補正部１３は、ＲＧＢの画像データを画像表示装置１０４の色空間に適合するＲ’Ｇ’Ｂ’の画像データへ変換する処理を行う。
【０２４８】
その後、送信時と同様、空間フィルタ部１５にて領域分離信号を基にデジタルフィルタによる空間フィルタ処理（強調処理，平滑化処理）が行われている。変倍部１６にて画像表示装置１０４のサイズに適合するように間引き処理が行われる。また、出力階調補正部１７では、例えば、文字領域に対しては図１２（ｂ）のガンマ曲線を用いた補正が行われ、文字以外の領域に対しては図１２（ａ）のガンマ曲線を用いた補正が行われる。
【０２４９】
そして、出力階調補正部１７から出力されるＲ’Ｇ’Ｂ’の画像データは画像表示装置１０４に供給され、画像表示装置１０４はＲ’Ｇ’Ｂ’の画像データに基づいてプレビュー表示を行う。
【０２５０】
（５）変形例
図８に示した画像形成装置１００では、圧縮画像データ（符号化コード）と領域分離信号コードとを対応付けて記憶装置１０７に格納している。しかし、図１８に示す画像形成装置１００ａのように、画像入力装置１０１にて画像データを読み取った後、領域分離処理および原稿種別判別処理を行う前に、読み取った画像データを符号化して一旦記憶装置１０７に格納しておき、記憶装置１０７から読み出して復号化した画像データについて原稿種別判別処理や領域分離処理を施すように構成しても良い。
【０２５１】
また、図８に示した画像形成装置１００において、コピーモード・プリントモード・ファクシミリ送信モード・ファクシミリ受信モード・イメージ送信モード等を選択中に画像ファイリング処理を実行可能としてもよい。このファイリング処理とは、コピーモード等の選択中において、画像入力装置１０１にて得られた画像データまたは外部から受信した画像データに基づいて画像ファイル（ＪＰＥＧ、ＴＩＦＦファイル等）を作成し、この画像ファイルを記憶装置１０７に保存する処理である。
【０２５２】
ここで、画像ファイリング処理では、画像入力装置１０１にて得られた画像データまたは外部から受信した画像データは画像処理装置１０２にて画像ファイル（ＪＰＥＧ、ＴＩＦＦファイル等）に変換され、その後、不図示のファイリング処理部に送られ、このファイリング処理部が上記画像ファイルを記憶装置１０７に保存するようになっている。
【０２５３】
また、各モード（コピーモード・プリントモード・ファクシミリ送信モード等）の選択中においてプレビューを行う場合、ファイリング処理の実行の有無に拘わらず、画像入力装置１０１にて得られた画像データまたは外部から受信した画像データは画像処理装置１０２にて処理され、その後、画像表示装置１０４に送られるようになっている。さらに、各モードの選択中においてプレビューを行う場合、画像ファイリング処理の実行の有無に拘わらず、画像処理装置１０２にて実行される画像処理の内容は同一である。例えば、コピーモードのプレビュー表示時、画像ファイリング処理の実行の有無に関係なく、画像処理装置１０２の処理内容は図１０に示すものとなる。また、ファクシミリ送信モードのプレビュー表示時、画像ファイリング処理の実行の有無に関係なく、画像処理装置１０２の処理内容は図１５に示すものとなる。
【０２５４】
（６）本参考例の画像処理装置の利点について
本参考例の画像処理装置１０２は、コピーモード、プリントモードにおいて、印刷を行うプリント部（印刷装置）１０３に対して画像データを供給し、上記印刷の実行前に画像表示装置１０４にプレビューを表示させるために上記画像データを画像表示装置１０４に供給するものである。
【０２５５】
そして、画像処理装置１０２は、プリント部１０３に供給される画像データに対して実行される第１画像処理と、画像表示装置１０４に供給される画像データに対して実行され且つ第１画像処理とは異なる第２画像処理とを、両画像処理に共通の回路領域を用いて実行する第１画像処理部を含んでいる。ここで、第１画像処理部の一例としては、コピーモード且つフルカラーモードにおける色補正部１３が挙げられる。この色補正部１３においては、ＲＧＢからＣＭＹへの変換処理（第１画像処理）と、ＲＧＢからＲ’Ｇ’Ｂ’への変換処理（第２画像処理）とを共通の回路領域にて行っているからである。
【０２５６】
これにより、印刷処理等用の画像処理のみならず、印刷処理前のプレビュー用の画像処理を行う画像処理装置であっても、画像処理回路の回路規模を抑制できるという効果を奏する。
【０２５７】
また、本参考例では、コピーモード且つフルカラーモードの印刷時、色補正部１３は、スキャナにて読み取られ且つスキャナの特性に応じた加法混色用の画像データ（ＲＧＢ）を、プリント部１０３の特性に応じた減法混色用の画像データ（ＣＭＹ）に変換する処理を行っている。これに対し、コピーモード且つフルカラーモードのプレビュー時、色補正部１３は、スキャナにて読み取られ且つスキャナの特性に応じた加法混色用の画像データ（ＲＧＢ）を、画像表示装置１０４の特性に応じた加法混色用の画像データ（Ｒ’Ｇ’Ｂ’）に変換する処理を行っている。つまり、プレビュー表示時、スキャナの特性に応じた加法混色用の画像データを画像表示装置１０４の特性に応じた加法混色用の画像データに直接変換している。したがって、本参考例の画像処理装置１０２によれば、コピーモード且つフルカラーモードのプレビュー表示時、ＲＧＢの画像データからＲ’Ｇ’Ｂ’の画像データへの１回の非線形変換を行っているものの、特開平９−１３５３１６号公報の構成のように複数回の非線形変換を行うことがないため、変換誤差の蓄積を抑制でき、色再現性の低下を抑制できる。なお、特開平９−１３５３１６号公報では、ＲＧＢのデータからＣＭＹのデータへの変換、ＣＭＹのデータからＣＭＹＫのデータへの変換、ＣＭＹＫのデータからＣＭＹのデータへの変換、ＣＭＹのデータからＲＧＢのデータへ変換の計４回の変換が行われているため、変換誤差が蓄積され、色再現性が低下してしまう。
【０２５８】
また、本参考例では、コピーモード且つシングルカラーモードのプレビュー時、または、コピーモード且つ２色カラーモードのプレビュー時、上記非線形変換を行っているものの、非線形変換の回数は２回のみであるため、計４回の非線形変換を行っている特開平９−１３５３１６号公報の構成よりも色再現性の低下を抑制できる。
【０２５９】
さらに、本参考例では、コピーモード且つフルカラーモードの印刷時、黒生成/下色除去部１４においては、ＣＭＹの画像データをＣＭＹＫの画像データに変換する処理が行われる一方、コピーモード且つフルカラーモードのプレビュー表示時、黒生成/下色除去部１４においては、Ｒ’Ｇ’Ｂ’に対して処理を施さずにそのまま出力している。これにより、ＣＭＹからＣＭＹＫに変換する処理（黒生成／下色除去処理）を行う必要がある印刷用の画像データと、黒生成/下色除去処理を行う必要の無いプレビュー用の画像データとについて、画像処理回路内での画像データの経路を共通にでき、回路構成を簡略化できる。
【０２６０】
なお、本参考例の画像処理装置１０２においては、原稿種別自動判別部５の判別結果に基づく画像処理,領域分離処理部６の処理結果に基づく画像処理,下地除去処理を行うことが可能であり、これら処理の効果は画像表示装置１０４に表示されるプレビュー画像にも反映される。
【産業上の利用可能性】
【０２６１】
本発明の制御装置は、複合機、複写機、プリンタ、ファクシミリ装置、画像送信可能なスキャナ専用機等の画像出力装置を制御する装置として利用可能である。
【符号の説明】
【０２６２】
５０    複合機（画像出力装置）
５３    プリント部
５４    記憶装置
５５    送信装置
５６    受信装置
５７ａ  表示部
５９    制御装置
５９ａ  イメージ送信部
５９ｂ  ファイリング処理部
５９ｃ  ジョブ制御部
５９ｄ  予告部
【図１】
2010199858.tif 000005
【図２】
2010199858.tif 000006
【図３】
2010199858.tif 000007
【図４】
2010199858.tif 000008
【図５】
2010199858.tif 000009
【図６】
2010199858.tif 000010
【図７】
2010199858.tif 000011
【図８】
2010199858.tif 000012
【図９】
2010199858.tif 000013
【図１０】
2010199858.tif 000014
【図１１】
2010199858.tif 000015
【図１２】
2010199858.tif 000016
【図１３】
2010199858.tif 000017
【図１４】
2010199858.tif 000018
【図１５】
2010199858.tif 000019
【図１６】
2010199858.tif 000020
【図１７】
2010199858.tif 000021
【図１８】
2010199858.tif 000022